(57)【要約】  いくつかの実施形態によれば、測定報告のための、無線デバイス（１１０）によって実施される方法は、少なくとも１つの測定量に基づいて測定リポートのための複数の測定を分類することを含む。本方法は、少なくとも１つの測定量に基づいて分類される複数の測定から選択される測定情報をネットワークノード（１６０）に報告することをさらに含む。【選択図】図１５
2021505070.tif 000002
【特許請求の範囲】
【請求項１】
測定報告のための、無線デバイス（１１０）によって実施される方法であって、前記方法は、
少なくとも１つの測定量に基づいて測定リポートのための複数の測定を分類することと、
前記少なくとも１つの測定量に基づく前記複数の測定の前記分類に基づいて前記複数の測定から選択される測定情報を含む前記測定リポートをネットワークノード（１６０）に報告することと
を含む、方法。
【請求項２】
前記測定量が、ネットワークによって設定されるリポート量である、請求項１に記載の方法。
【請求項３】
前記測定量が、前記ネットワークによって設定される複数のトリガ量のセットのうちのトリガ量である、請求項１に記載の方法。
【請求項４】
前記測定情報が前記複数の測定のうちの少なくとも１つを含む、請求項１から３のいずれか一項に記載の方法。
【請求項５】
前記測定情報がビームインデックスを含む、請求項１から４のいずれか一項に記載の方法。
【請求項６】
前記測定リポートが１次セルおよび２次セルのビームレベル情報を含む、請求項１から５のいずれか一項に記載の方法。
【請求項７】
前記複数の測定がビームレベル測定を含む、請求項１から６のいずれか一項に記載の方法。
【請求項８】
前記複数の測定がセルレベル測定を含む、請求項１から７のいずれか一項に記載の方法。
【請求項９】
測定報告基準を満たすことを検出すること
をさらに含み、
前記複数の測定が、前記測定報告基準を前記満たすことを検出したことに応答して、少なくとも１つの前記リポート量に基づいて前記測定リポートのために分類される、
請求項１から８のいずれか一項に記載の方法。
【請求項１０】
前記複数の測定が前記無線デバイスのサービングセルについてのものである、請求項１から９のいずれか一項に記載の方法。
【請求項１１】
前記複数の測定が前記無線デバイスの隣接セルについてのものである、請求項１から１０のいずれか一項に記載の方法。
【請求項１２】
前記無線デバイスが周期的報告のために設定される、請求項１から１１のいずれか一項に記載の方法。
【請求項１３】
前記ネットワークノードから前記少なくとも１つの測定量を示す情報を受信することをさらに含む、請求項１２に記載の方法。
【請求項１４】
前記少なくとも１つの測定量は、ビームインデックスのみがビームレベル報告の一部として報告されることになることを示し、
前記複数の測定を分類することが、参照信号受信電力（ＲＳＲＰ）に基づいて前記複数の測定を分類することを含む、
請求項１２または１３に記載の方法。
【請求項１５】
前記少なくとも１つの測定量が参照信号受信電力（ＲＳＲＰ）を示し、
前記複数の測定がＲＳＲＰに基づいて分類される、
請求項１２または１３に記載の方法。
【請求項１６】
前記少なくとも１つの測定量が参照信号受信品質（ＲＳＲＱ）を示し、
前記複数の測定がＲＳＲＱに基づいて分類される、
請求項１２または１３に記載の方法。
【請求項１７】
前記少なくとも１つの測定量が信号対干渉プラス雑音比（ＳＩＮＲ）を示し、
前記複数の測定がＳＩＮＲに基づいて分類される、
請求項１２または１３に記載の方法。
【請求項１８】
前記少なくとも１つの測定量が、
参照信号受信電力（ＲＳＲＰ）と、
信号対干渉プラス雑音比（ＳＩＮＲ）および
参照信号受信品質（ＲＳＲＱ）
のうちの少なくとも１つと
を示し、
前記複数の測定がＲＳＲＰに基づいて分類される、
請求項１２または１３に記載の方法。
【請求項１９】
前記無線デバイスがイベントトリガ型報告のために設定され、
前記少なくとも１つの測定量がトリガ量を含む、
請求項１から１２のいずれか一項に記載の方法。
【請求項２０】
前記トリガ量に基づいて前記複数の測定を分類することが、前記トリガ量に関連する測定タイプの前記複数の測定のうちの最良の測定を最初に報告することを含む、請求項１９に記載の方法。
【請求項２１】
前記複数の測定が前記無線デバイスの隣接セルについての１つまたは複数の測定を含み、
前記複数の測定を分類することが、少なくとも１つの最良の隣接セルを識別するために前記隣接セルについての前記１つまたは複数の測定を分類することであって、前記少なくとも１つの最良の隣接セルが、報告されることになるセルの最大数を超えない、前記隣接セルについての前記１つまたは複数の測定を分類することを含む、
請求項１から２０のいずれか一項に記載の方法。
【請求項２２】
測定報告のための無線デバイス（１１０）であって、前記無線デバイスが、
少なくとも１つの測定量に基づいて測定リポートのための複数の測定を分類することと、
前記少なくとも１つの測定量に基づく前記複数の測定の前記分類に基づいて前記複数の測定から選択される測定情報を含む前記測定リポートをネットワークノード（１６０）に報告することと
を行うように設定される処理回路要素（１２０）
を含む、無線デバイス（１１０）。
【請求項２３】
前記測定量が、ネットワークによって設定されるリポート量である、請求項２２に記載の無線デバイス。
【請求項２４】
前記測定量が、前記ネットワークによって設定される複数のトリガ量のセットのうちのトリガ量である、請求項２２に記載の無線デバイス。
【請求項２５】
前記測定情報が前記複数の測定のうちの少なくとも１つを含む、請求項２２から２４のいずれか一項に記載の無線デバイス。
【請求項２６】
前記測定情報がビームインデックスを含む、請求項２２から２５のいずれか一項に記載の無線デバイス。
【請求項２７】
前記測定リポートが１次セルおよび２次セルのビームレベル情報を含む、請求項２２から２６のいずれか一項に記載の無線デバイス。
【請求項２８】
前記無線デバイスに電力を供給するように設定される電力供給回路要素（１１７）をさらに含む、請求項２２から２７のいずれか一項に記載の無線デバイス。
【請求項２９】
前記複数の測定がビームレベル測定を含む、請求項２２から２８のいずれか一項に記載の無線デバイス。
【請求項３０】
前記複数の測定がセルレベル測定を含む、請求項２２から２９のいずれか一項に記載の無線デバイス。
【請求項３１】
前記処理回路要素が、
測定報告基準を満たすことを検出する
ように設定され、
前記複数の測定が、前記測定報告基準を前記満たすことを検出したことに応答して、少なくとも１つの前記リポート量に基づいて前記測定リポートのために分類される、
請求項２２から３０のいずれか一項に記載の無線デバイス。
【請求項３２】
前記複数の測定が前記無線デバイスのサービングセルについてのものである、請求項２２から３１のいずれか一項に記載の無線デバイス。
【請求項３３】
前記複数の測定が前記無線デバイスの隣接セルについてのものである、請求項２２から３２のいずれか一項に記載の無線デバイス。
【請求項３４】
前記無線デバイスが周期的報告のために設定される、請求項２２から３３のいずれか一項に記載の無線デバイス。
【請求項３５】
前記処理回路要素が、ネットワークノードから前記少なくとも１つの測定量を示す情報を受信するように設定される、請求項３４に記載の無線デバイス。
【請求項３６】
前記少なくとも１つの測定量は、ビームインデックスのみがビームレベル報告の一部として報告されることになることを示し、
前記複数の測定を分類することが、参照信号受信電力（ＲＳＲＰ）に基づいて前記複数の測定を分類することを含む、
請求項３４または３５に記載の無線デバイス。
【請求項３７】
前記少なくとも１つの測定量が参照信号受信電力（ＲＳＲＰ）を示し、
前記複数の測定がＲＳＲＰに基づいて分類される、
請求項３４または３５に記載の無線デバイス。
【請求項３８】
前記少なくとも１つの測定量が参照信号受信品質（ＲＳＲＱ）を示し、
前記複数の測定がＲＳＲＱに基づいて分類される、
請求項３４または３５に記載の無線デバイス。
【請求項３９】
前記少なくとも１つの測定量が信号対干渉プラス雑音比（ＳＩＮＲ）を示し、
前記複数の測定がＳＩＮＲに基づいて分類される、
請求項３４または３５に記載の無線デバイス。
【請求項４０】
前記少なくとも１つの測定量が、
参照信号受信電力（ＲＳＲＰ）と、
信号対干渉プラス雑音比（ＳＩＮＲ）および
参照信号受信品質（ＲＳＲＱ）
のうちの少なくとも１つと
を示し、
前記複数の測定がＲＳＲＰに基づいて分類される、
請求項３４または３５に記載の無線デバイス。
【請求項４１】
前記無線デバイスがイベントトリガ型報告のために設定され、
前記少なくとも１つの測定量がトリガ量を含む、
請求項２２から３４のいずれか一項に記載の無線デバイス。
【請求項４２】
前記トリガ量に基づいて前記複数の測定を分類することが、前記トリガ量に関連する測定タイプの前記複数の測定のうちの最良の測定を最初に報告することを含む、請求項４１に記載の無線デバイス。
【請求項４３】
前記複数の測定が前記無線デバイスの隣接セルについての１つまたは複数の測定を含み、
前記複数の測定を分類することが、少なくとも１つの最良の隣接セルを識別するために前記隣接セルについての前記１つまたは複数の測定を分類することであって、前記少なくとも１つの最良の隣接セルが、報告されることになるセルの最大数を超えない、前記隣接セルについての前記１つまたは複数の測定を分類することを含む、
請求項２２から４２のいずれか一項に記載の無線デバイス。
【請求項４４】
測定報告のために無線デバイス（１１０）を設定するための、ネットワークノード（１６０）によって実施される方法であって、前記方法は、
イベントベース測定報告のために前記無線デバイスを設定することと、
前記無線デバイスから、複数の測定の分類に基づいて前記複数の測定から選択される測定情報を含む測定リポートを受信することであって、前記複数の測定の前記分類がイベントの検出に応答したものである、測定リポートを受信することと
を含む、方法。
【請求項４５】
前記測定情報が前記複数の測定のうちの少なくとも１つを含む、請求項４４に記載の方法。
【請求項４６】
前記測定情報がビームインデックスを含む、請求項４４または４５に記載の方法。
【請求項４７】
前記測定リポートが１次セルおよび２次セルのビームレベル情報を含む、請求項４４から４６のいずれか一項に記載の方法。
【請求項４８】
前記複数の測定がビームレベル測定を含む、請求項４４から４７のいずれか一項に記載の方法。
【請求項４９】
前記複数の測定がセルレベル測定を含む、請求項４４および４８のいずれか一項に記載の方法。
【請求項５０】
前記複数の測定が前記無線デバイスのサービングセルについてのものである、請求項４４から４９のいずれか一項に記載の方法。
【請求項５１】
前記複数の測定が前記無線デバイスの隣接セルについてのものである、請求項４４から５０のいずれか一項に記載の方法。
【請求項５２】
前記複数の測定が、少なくとも１つの測定量に基づいて前記測定リポートのために分類される、請求項４４から５１のいずれか一項に記載の方法。
【請求項５３】
前記測定量が、ネットワークによって設定されるリポート量である、請求項５２に記載の方法。
【請求項５４】
前記測定量が、前記ネットワークによって設定される複数のトリガ量のセットのうちのトリガ量である、請求項５２または５３に記載の方法。
【請求項５５】
少なくとも１つの測定量を示す情報を前記無線デバイスに送信することをさらに含む、請求項５２から５４のいずれか一項に記載の方法。
【請求項５６】
前記少なくとも１つの測定量は、ビームインデックスのみがビームレベル報告の一部として報告されることになることを示し、
前記複数の測定が参照信号受信電力（ＲＳＲＰ）に基づいて分類される、
請求項５２から５５のいずれか一項に記載の方法。
【請求項５７】
前記少なくとも１つの測定量が参照信号受信電力（ＲＳＲＰ）を示し、
前記複数の測定がＲＳＲＰに基づいて分類される、
請求項５２から５５のいずれか一項に記載の方法。
【請求項５８】
前記少なくとも１つの測定量が参照信号受信品質（ＲＳＲＱ）を示し、
前記複数の測定がＲＳＲＱに基づいて分類される、
請求項５２から５５のいずれか一項に記載の方法。
【請求項５９】
前記少なくとも１つの測定量が信号対干渉プラス雑音比（ＳＩＮＲ）を示し、
前記複数の測定がＳＩＮＲに基づいて分類される、
請求項５２から５５のいずれか一項に記載の方法。
【請求項６０】
前記少なくとも１つの測定量が、
参照信号受信電力（ＲＳＲＰ）と、
信号対干渉プラス雑音比（ＳＩＮＲ）および
参照信号受信品質（ＲＳＲＱ）
のうちの少なくとも１つと
を示し、
前記複数の測定がＲＳＲＰに基づいて分類される、
請求項５２から５５のいずれか一項に記載の方法。
【請求項６１】
イベントベース測定報告のために前記無線デバイスを設定することが、イベントトリガ型報告のために前記無線デバイスを設定することを含み、
前記少なくとも１つの測定量がトリガ量を含む、
請求項５２から６０のいずれか一項に記載の方法。
【請求項６２】
前記トリガ量に関連する測定タイプの前記複数の測定のうちの最良の測定が、前記測定リポート中で最初に報告される、請求項６１に記載の方法。
【請求項６３】
イベントベース測定報告のために前記無線デバイスを設定することが、周期的報告のために前記無線デバイスを設定することを含む、請求項４４から６２のいずれか一項に記載の方法。
【請求項６４】
前記複数の測定が前記無線デバイスの隣接セルについての１つまたは複数の測定を含み、
前記隣接セルについての前記１つまたは複数の測定が、少なくとも１つの最良の隣接セルを識別するために分類され、前記少なくとも１つの最良の隣接セルが、報告されることになるセルの最大数を超えない、
請求項４４から６３のいずれか一項に記載の方法。
【請求項６５】
測定報告のために無線デバイス（１１０）を設定するためのネットワークノード（１６０）であって、前記ネットワークノードは、
イベントベース測定報告のために前記無線デバイスを設定することと、
前記無線デバイスから、複数の測定の分類に基づいて前記複数の測定から選択される測定情報を含む測定リポートを受信することであって、前記複数の測定の前記分類がイベントの検出に応答したものである、測定リポートを受信することと
を行うように設定される処理回路要素（１７０）
を含む、ネットワークノード（１６０）。
【請求項６６】
前記測定情報が前記複数の測定のうちの少なくとも１つを含む、請求項６５に記載のネットワークノード。
【請求項６７】
前記測定情報がビームインデックスを含む、請求項６５または６６に記載のネットワークノード。
【請求項６８】
前記測定リポートが１次セルおよび２次セルのビームレベル情報を含む、請求項６５から６７のいずれか一項に記載のネットワークノード。
【請求項６９】
前記ネットワークノードに電力を供給するように設定される電力供給回路要素（１８７）をさらに含む、請求項６５から６８のいずれか一項に記載のネットワークノード。
【請求項７０】
前記複数の測定がビームレベル測定を含む、請求項６５から６９のいずれか一項に記載のネットワークノード。
【請求項７１】
前記複数の測定がセルレベル測定を含む、請求項６５および７０のいずれか一項に記載のネットワークノード。
【請求項７２】
前記複数の測定が前記無線デバイスのサービングセルについてのものである、請求項６５から７１のいずれか一項に記載のネットワークノード。
【請求項７３】
前記複数の測定が前記無線デバイスの隣接セルについてのものである、請求項６５から７２のいずれか一項に記載のネットワークノード。
【請求項７４】
前記複数の測定が、少なくとも１つの測定量に基づいて前記測定リポートのために分類される、請求項６５から７３のいずれか一項に記載のネットワークノード。
【請求項７５】
前記測定量が、ネットワークによって設定されるリポート量である、請求項７４に記載のネットワークノード。
【請求項７６】
前記測定量が、前記ネットワークによって設定される複数のトリガ量のセットのうちのトリガ量である、請求項７４または７５に記載のネットワークノード。
【請求項７７】
前記少なくとも１つの測定量を示す情報を前記無線デバイスに送信することをさらに含む、請求項７４から７６のいずれか一項に記載のネットワークノード。
【請求項７８】
前記少なくとも１つの測定量は、ビームインデックスのみがビームレベル報告の一部として報告されることになることを示し、
前記複数の測定が参照信号受信電力（ＲＳＲＰ）に基づいて分類される、
請求項７４から７７のいずれか一項に記載のネットワークノード。
【請求項７９】
前記少なくとも１つの測定量が参照信号受信電力（ＲＳＲＰ）を示し、
前記複数の測定がＲＳＲＰに基づいて分類される、
請求項７４から７７のいずれか一項に記載のネットワークノード。
【請求項８０】
前記少なくとも１つの測定量が参照信号受信品質（ＲＳＲＱ）を示し、
前記複数の測定がＲＳＲＱに基づいて分類される、
請求項７４から７７のいずれか一項に記載のネットワークノード。
【請求項８１】
前記少なくとも１つの測定量が信号対干渉プラス雑音比（ＳＩＮＲ）を示し、
前記複数の測定がＳＩＮＲに基づいて分類される、
請求項７４から７７のいずれか一項に記載のネットワークノード。
【請求項８２】
前記少なくとも１つの測定量が、
参照信号受信電力（ＲＳＲＰ）と、
信号対干渉プラス雑音比（ＳＩＮＲ）および
参照信号受信品質（ＲＳＲＱ）
のうちの少なくとも１つと
を示し、
前記複数の測定がＲＳＲＰに基づいて分類される、
請求項７４から７７のいずれか一項に記載のネットワークノード。
【請求項８３】
イベントベース測定報告のために前記無線デバイスを設定することが、イベントトリガ型報告のために前記無線デバイスを設定することを含み、
前記少なくとも１つの測定量がトリガ量を含む、
請求項７４から８２のいずれか一項に記載のネットワークノード。
【請求項８４】
前記トリガ量に関連する測定タイプの前記複数の測定のうちの最良の測定が、前記測定リポート中で最初に報告される、請求項８３に記載のネットワークノード。
【請求項８５】
イベントベース測定報告のために前記無線デバイスを設定することが、周期的報告のために前記無線デバイスを設定することを含む、請求項６５から８４のいずれか一項に記載のネットワークノード。
【請求項８６】
前記複数の測定が前記無線デバイスの隣接セルについての１つまたは複数の測定を含み、
前記隣接セルについての前記１つまたは複数の測定が、少なくとも１つの最良の隣接セルを識別するために分類され、前記少なくとも１つの最良の隣接セルが、報告されることになるセルの最大数を超えない、
請求項６５から８５のいずれか一項に記載のネットワークノード。
【発明の詳細な説明】
【背景技術】
【０００１】
ビームレベル報告がＮＲにおいてサポートされることが、ＲＡＮ２において同意された。詳細には、以下のことが同意された。
・  （新無線−同期信号（ＮＲ−ＳＳ）およびチャネル状態情報参照信号（ＣＳＩ−ＲＳ）に基づく）ビーム測定が、測定リポート中に含まれ得、ネットワークによって設定され得る（すなわち、ネットワークがユーザ機器（ＵＥ）を、ビーム識別子のみを報告するか、ビーム測定結果とビーム識別子とを報告するか、またはビーム報告を行わないように設定する）。
・  測定量（ｑｕａｎｔｉｔｙ）が、ビーム測定報告のためにネットワークによって設定され得る。ＲＡＮ１が、サポートされる測定量を確認する。
・  各セルについての測定リポート中に含まれるべきｘ個の同期信号（ＳＳ）ブロックの選択について：ｘはＮ（Ｎはセル品質導出において使用される）とは別個に設定され得る。
・  ビーム測定について報告されることになる測定量は、（セル）トリガ量またはＲＳＲＰ／ＲＳＲＱの両方と同じであり得る。
・  ＮＲ−ＳＳに基づく測定イベントでは、各セルにおいて、最良のＳＳブロックが報告され、絶対しきい値を上回るｘ−１個の次に高い測定されたＳＳブロックまで、報告される。しきい値は、セル量導出のために使用されるしきい値と同じである。
・  ＣＳＩ−ＲＳに基づく測定イベントでは、各セルにおいて、最良のＣＳＩ−ＲＳが報告され、絶対しきい値を上回るｙ−１個の次に高い測定されたＣＳＩ−ＲＳまで、報告される。しきい値は、セル品質導出のために使用されるしきい値と同じである。
・  ネットワークが、測定リポート中にビームレベル情報（１次セル（ＰＣｅｌｌ）／１次２次セル（ＰＳＣｅｌｌ）および２次セル（ＳＣｅｌｌ）のビームＩＤＳおよび／または利用可能な測定結果）を含めるようにＵＥを設定した場合、それらのビームレベル情報が測定リポート中に含まれる。
【０００２】
これらの同意に基づいて、イベントトリガ型測定リポートでは、ＵＥは、ＰＣｅｌｌ、ＰＳＣｅｌｌ、ＳＣｅｌｌ、およびｔｒｉｇｇｅｒｅｄＣｅｌｌｓＬｉｓｔ中のセルのビームレベル測定を報告するものとする。
【０００３】
さらに、ｔｒｉｇｇｅｒｅｄＣｅｌｌｓＬｉｓｔ中のセルについて報告されることになるビーム関係測定量が、ビームインデックスのみ、ビームインデックスとビームＲＳＲＰ、ビームインデックスとビームＲＳＲＱ、またはビームインデックスとビーム信号対干渉プラス雑音比（ＳＩＮＲ）のように、（セルについて報告されることになる測定量とは無関係に）設定され得る。各セルにおいて、最良のＳＳブロック／ＣＳＩ−ＲＳが、常に測定リポート中に含まれ、ｘ−１／ｙ−１個の次に高い測定されたＳＳブロック／ＣＳＩ−ＲＳまでが、測定リポート中に含まれる。
【０００４】
さらに、ＮＲにおいて周期測定報告のサポートがあることになる。詳細には、以下がＲＡＮ２において同意された。
・  現在のビームリポート同意（ネットワークがＵＥを、ビーム識別子のみを報告するか、ビーム測定結果とビーム識別子とを報告するか、またはビーム報告を行わないように設定する）が、イベントトリガ型リポートと周期的リポートの両方に適用される。
・  単一の周期的測定設定が、ＳＳベースの測定された結果またはＣＳＩ−ＲＳベースの測定された結果（両方でない）を報告するように設定され得る。
・  ＵＥが、周期的測定のためにｍａｘＣｅｌｌＲｅｐｏｒｔまでのすべての適用可能なセルを報告することを必要とされ、ここで、適用可能なセルが、ブラックセルリスト中のセルを除いて、関連する周波数上で検出されたネイバーセルとして規定される。
これらの同意に基づいて、周期測定リポートは、対応するｒｅｐｏｒｔＣｏｎｆｉｇ中で設定された１つのＲＳＴｙｐｅのみに基づくことになる。また、ビームレベル測定も測定リポート中に含まれることが同意された。
【０００５】
ＬＴＥでは、報告設定（ｒｅｐｏｒｔＣｏｎｆｉｇ）の一部である、ｔｒｉｇｇｅｒＱｕａｎｔｉｔｙパラメータは、たとえば、ＲＳＲＰ、ＲＳＲＱまたはＳＩＮＲのいずれかなど、どの量がイベントトリガ型報告のために使用されるものとするかを示すためだけに使用されるのではない。さらに、ｔｒｉｇｇｅｒＱｕａｎｔｉｔｙパラメータは、周期的報告のためにも使用され得る。このパラメータに加えて、ｒｅｐｏｒｔＣｏｎｆｉｇは、どの量が測定リポート中に含まれるものとするかを示すために使用される、ｒｅｐｏｒｔＱｕａｎｔｉｔｙと呼ばれるパラメータをも含んでいる。言い換えれば、ネットワークは、イベントをトリガするために使用されているものよりも多くの量を報告するようにＵＥを設定し得る。
【０００６】
ｔｒｉｇｇｅｒＱｕａｎｔｉｔｙがＲＳＲＰとして設定され、ｒｅｐｏｒｔＱｕａｎｔｉｔｙがｓａｍｅＡｓＴｒｉｇｇｅｒＱｕａｎｔｉｔｙとして設定される場合、ＵＥはＲＳＲＰ値を報告するものとする。ｔｒｉｇｇｅｒＱｕａｎｔｉｔｙがＲＳＲＱとして設定され、ｒｅｐｏｒｔＱｕａｎｔｉｔｙがｓａｍｅＡｓＴｒｉｇｇｅｒＱｕａｎｔｉｔｙとして設定される場合、ＵＥはＲＳＲＱ値を報告するものとする。さらに、ｒｅｐｏｒｔＱｕａｎｔｉｔｙは、その両方として設定され得、これは、ＲＳＲＰとＲＳＲＱの両方の報告につながる。リリース１３では、追加のＳＩＮＲベース報告も導入された。
【０００７】
現在、（１つまたは複数の）ある課題が存在する。ＮＲについての上記の同意に基づいて、ネットワークは、周期測定報告ならびにイベントトリガ型測定リポートのためのビームレベル測定情報（すなわち、ビームインデックスのみ、または（１つまたは複数の）測定結果をもつビームインデックス）を含めるようにＵＥを設定し得る。ＵＥが、測定リポート中に、各セルについての最良のビームを含め、絶対しきい値を上回るセルごとのＸ−１個の最も強いビームまでを含めるものとすることがすでに同意され、ここで、ＸはｒｅｐｏｒｔＣｏｎｆｉｇ中で設定され、しきい値がｍｅａｓＯｂｊｅｃｔ中で設定される。
【０００８】
さらに、以下は、その問題を解決するために論じられ、ＲＲＭ  ＴＰに関する補正を説明するＲ２−１７１３４２７においてＲＡＮ２＃１００にサブミットされた。
現在のＴＰ、ＵＥは、以下のように、各セル量を、その量についての最良のＮ個のビームによって導出する。
ＵＥは、以下を行うものとする。
１＞  ＳＳ／ＰＢＣＨブロックに基づいて導出されることになる各セル測定量について、
２＞  関連するｍｅａｓＯｂｊｅｃｔ中のｎｒｏＳＳ−ＢｌｏｃｋｓＴｏＡｖｅｒａｇｅが設定されない場合、または
２＞  関連するｍｅａｓＯｂｊｅｃｔ中のａｂｓＴｈｒｅｓｈＳＳ−ＢｌｏｃｋｓＣｏｎｓｏｌｉｄａｔｉｏｎが設定されない場合、または
２＞  最も高いビーム測定量値がａｂｓＴｈｒｅｓｈＳＳ−ＢｌｏｃｋｓＣｏｎｓｏｌｉｄａｔｉｏｎを下回る場合、
３＞  最も高いビーム測定量値として、ＳＳ／ＰＢＣＨブロックに基づく各セル測定量を導出し、ここで、各ビーム測定量が、ＴＳ３８．２１５に記載されている［ＦＦＳ］。
２＞  他の場合、
３＞  ａｂｓＴｈｒｅｓｈＳＳ−ＢｌｏｃｋｓＣｏｎｓｏｌｉｄａｔｉｏｎを上回る最も高いビーム測定量値の電力値の線形平均として、ＳＳ／ＰＢＣＨブロックに基づく各セル測定量を導出し、ここで、平均ビームの総数が、ｎｒｏＳＳ−ＢｌｏｃｋｓＴｏＡｖｅｒａｇｅを超えないものとする。
複数のセル品質（たとえばＲＳＲＱおよびＲＳＲＱ）が、報告するために設定された場合、ＵＥは、ＲＳＲＰのための最良のＮ個のビームとＲＳＲＱのための最良のＮ個のビームとが異なり得ることを考慮すると、セル導出のために最良のＮ個のビームの異なるセットを有し得る。
しかしながら、測定リポート中にビームの１つのセットのみがあり、現在のＴＰは、ＵＥは、各量についての最良のビームと、高いものから順にしきい値を上回る他のビームとを含めるべきであると述べるが、これらのビームをどのように分類すべきかに関して不明瞭である。ビームが異なる量（たとえばＲＳＲＰまたはＲＳＲＱ）によって分類される場合、結果は異なるであろう。
測定リポート中に含まれるべきビーム測定情報について、ＵＥは、以下を行うものとする。
１＞  以下のように、量の大きいものから順にｍａｘＮｒｏＲｓＩｎｄｅｘｅｓＴｏＲｅｐｏｒｔ個のビームインデックスまでを含めるようにｒｓＩｎｄｅｘＲｅｓｕｌｔｓをセットする。
２＞  含まれるべき測定情報がＳＳ／ＰＢＣＨブロックに基づく場合、
３＞  そのＳＳ／ＰＢＣＨブロック量についての最良のビーム、および量が、対応するｍｅａｓＯｂｊｅｃｔについてのＶａｒＭｅａｓＣｏｎｆｉｇにおいて規定されたａｂｓＴｈｒｅｓｈＳＳ−ＢｌｏｃｋｓＣｏｎｓｏｌｉｄａｔｉｏｎを上回る残りのビームに関連するインデックスを、ｒｅｓｕｌｔｓＳＳＢＩｎｄｅｘｅｓ内に含め、
３＞  ｏｎｌｙＲｅｐｏｒｔＢｅａｍＩｄｓが設定されない場合、各ビームインデックスに関連するＳＳ／ＰＢＣＨベース測定結果を含める。
ビームリポートのためのビームレーキング基準を明瞭にするために、１つの可能な変更は、イベントによってトリガされた量によってビームを分類することであるが、周期的ＭＲの場合ビームをどのように分類すべきかに関して、依然として不明瞭である。別のオプションは、ネットワークによって明示的にビーム分類についての量を示すことであり、その場合、ＭＲにおいてビーム分類についての量を示すために追加の設定が必要とされる。
提案６：ネットワークは、複数の量が報告するために設定された場合、測定設定においてビーム分類についての測定量を示す必要がある。
【０００９】
したがって、わかり得るように、Ｒ２−１７１３４２７寄与文書は、その「ｔｒｉｇｇｅｒＱｕａｎｔｉｔｙ」が、報告されることになるビームレベル測定を分類するために使用されるべき測定量として使用され得る第１のソリューションに言及した。従来技術自体において言及されたように、そのソリューションに関する問題は、ｔｒｉｇｇｅｒＱｕａｎｔｉｔｙがＮＲ  ＲＲＣ仕様においてイベントトリガ型についてのみ規定され、したがって、ＵＥが測定リポート中に含まれるべきビームをどのように分類するものとするかが、あいまいであることである。
【００１０】
次いで、寄与文書は第２のソリューションを示唆し、第２のソリューションでは、どのようにビームを分類すべきかを明示的パラメータがＵＥに示す、ある種類のビーム分類報告パラメータがある。そのソリューションは問題を解決することができるが、最も効率的というわけではない。
【００１１】
第２のソリューションに関する問題は、さらなるパラメータが、仕様において規定され、ＵＥに明示的にシグナリングされなければならないだろうということである。また、別の問題は、第２のソリューションが単一のトリガ量の場合をカバーするにすぎず、すなわち、リポートが単一の量ＲＳＲＰ、ＲＳＲＱまたはＳＩＮＲに基づいてトリガされることである。ＮＲでは、ネットワークが、たとえば、ＲＳＲＰとＲＳＲＱ、ＲＳＲＱとＳＩＮＲ、ＲＳＲＰとＳＩＮＲ、ＲＳＲＰとＲＳＲＱとＳＩＮＲなど、複数のトリガ量を潜在的に設定するべきであることが、少なくとも提案された。また、これらが複数のＲＳタイプ、たとえば、ＳＳ／ＰＢＣＨブロックおよびＣＳＩ−ＲＳに基づき得ることが提案された。
【００１２】
また別の問題は、サービングセルに関連するビーム報告に関係する、ＮＲにおける以下の同意に関する。詳細には、ＲＡＮ２＃９９ｂｉｓプラハにおいて、ネットワークが、測定リポート中にＰＣｅｌｌ／ＰＳＣｅｌｌおよびＳＣｅｌｌのビームレベル情報（ビームＩＤおよび／または利用可能な測定結果）を含めるようにＵＥを設定した場合、それらのビームレベル情報が測定リポート中に含まれることが同意された。
【００１３】
依然として、ＵＥが常に測定リポート中にサービングセルのビーム情報を含めるかどうかという未解決の問いがあるが、以下の選択肢のうちの１つがおそらくサポートされ得る。
・  ＵＥは、（１つまたは複数の）サービングセルについてのすべての利用可能なビーム測定情報を測定リポート中に含めるものとする。
・  ＵＥは、リポートに関連するｒｅｐｏｒｔＣｏｎｆｉｇに従って、（１つまたは複数の）サービングセルについての利用可能なビーム測定情報を測定リポート中に含めるものとする。
【００１４】
言い換えれば、ＬＴＥでは、ＵＥは、各設定されたサービングセルについて測定リポート中にＲＳＲＰとＲＳＲＱとを含めるものとする。これは、ＮＲについても同意された。したがって、各周波数について単一のサービングセルがあるので、サービングセル測定報告についての分類問題を解決する必要がない。しかしながら、ＮＲでは、ネットワークが、上記で説明されたように、ｉ）サービングセル（ＰＣｅｌｌおよび（１つまたは複数の）ＳＣｅｌｌ）およびｉｉ）サービング周波数における（１つまたは複数の）最良のネイバーに関連するビーム測定結果を含めるようにＵＥを設定し得ることが同意された。したがって、前の寄与文書および同意に記載されている（１つまたは複数の）ソリューションは、サービングセル測定のその側面を無視し、これは、また別の限定である。
【００１５】
また別の問題は、各サービング周波数における（１つまたは複数の）最良のネイバーセルに関連するビーム報告に関係する、ＮＲにおける以下の同意に関する。ＲＡＮ２＃９９ｂｉｓプラハにおいて、ネットワークが、サービング周波数における最良のネイバーセルを報告するようにＵＥを設定することができることが同意された。ＲＡＮ２＃９９ｂｉｓ会議からの同意は、サービング周波数における最良のネイバーセルのセルレベル測定が含まれることを可能にする。しかしながら、ネイバーセル測定を実施するために使用されるべきＲＳＴｙｐｅは、依然として同意されていない。サービング周波数においてネイバーセル測定を実施するためにどのタイプのＲＳＴｙｐｅが使用されるべきかを制御するように別個の情報エレメントを設定することができるが、サービングセルの測定のために使用されるＲＳＴｙｐｅと同じＲＳＴｙｐｅを有することは、十分であろう。サービングセルの測定のためのＲＳＴｙｐｅが、ｒｅｐｏｒｔＣｏｎｆｉｇＮＲ中で設定されたＲＳＴｙｐｅと同じであることが、すでに同意された。以下がＮＲにおいて同意され得る可能性がある。
・  ＵＥは、サービング周波数における最良のネイバーセルを測定するために、それらのサービング周波数におけるサービングセルの測定のＲＳＴｙｐｅと同じ（１つまたは複数の）ＲＳＴｙｐｅを使用するものとする。
【００１６】
サービング周波数においてネイバーセル測定を測定するために使用されるべきＲＳＴｙｐｅのように、測定されるべき量も、同じ原理に従い得る。サービング周波数における最良のネイバーセルおよびサービングセルについて報告されることになる同じ量を有することは、ネットワークに有益であり、それにより、ネットワークがこれらの測定を比較し、それに応じて判断を行うことができる。ＲＳＲＰ測定とＲＳＲＱ測定とがサービングセルについて常に報告されることになるとき、それは、それらのサービング周波数における最良の隣接セルに適用可能であるものとする。前のセクションにおいて述べたＳＩＮＲ報告は、測定リポートをトリガしたｍｅａｓＩＤのリポート量の内容に依存することができる。次いで、以下もＮＲにおいて同意される可能性もある。
・  ＵＥは、サービング周波数における最良のネイバーセルのセルレベル測定を報告するために、それらのサービング周波数におけるサービングセルの測定の測定量と同じ測定量を使用するものとする。
【００１７】
サービング周波数における最良のネイバーセルのビームレベル情報は、常に必要とされるとは限らない。そのビームレベル情報が必要とされる場合、ネットワークは、そのビームレベル情報に関係する特定のイベント（たとえば、Ａ６イベント）を有することによって、そのビームレベル情報を取得することができる。しかしながら、ただサービング周波数における最良のネイバーセルビームレベル情報を取得する目的で追加のＡ６イベントを設定することは、ＵＥのために設定された測定の数の増加につながり得る。この欠点を克服するために、トレードオフがあり得、すなわち、ＵＥが、測定リポートをトリガしたｍｅａｓＩＤのｒｅｐｏｒｔＣｏｎｆｉｇ中で可能にされるビームレベル報告を伴って設定される場合のみ、ネットワークに報告される、サービング周波数における最良のネイバーセルのビームレベル情報を有し得る。以下が、ＮＲについても同意され得る。
・  ＵＥは、ビームレベル報告が、測定リポートをトリガしたｍｅａｓＩＤのｒｅｐｏｒｔＣｏｎｆｉｇ中で可能にされる場合のみ、測定リポート中にサービング周波数における最良のネイバーセルのビームレベル測定を含めるものとする。
【００１８】
報告オーバーヘッドをさらに低減するために、ＵＥは、測定リポートをトリガしたｍｅａｓＩＤのｒｅｐｏｒｔＣｏｎｆｉｇ中のビームレベル報告関係パラメータ中で設定された量のみを報告し得る。
・  ＵＥは、測定リポートをトリガしたｍｅａｓＩＤ中のｒｅｐｏｒｔＣｏｎｆｉｇのビームレベル報告中で設定された、サービング周波数における最良のネイバーセルのビームレベル測定量のみを含めるものとする。
【００１９】
要約すれば、各サービング周波数における（１つまたは複数の）最良のネイバーに関連するビームレベル測定情報も、測定リポート中にＵＥによって含められるように、ネットワークによって設定され得る。したがって、その問題はまた、ＬＴＥにおいて存在しなかったかまたは前の提案によって対処されなかったので、その問題は、依然として解決されないままである。
【発明の概要】
【００２０】
本開示のいくつかの態様およびそれらの実施形態は、これらまたは他の課題のソリューションを提供し得る。特定の実施形態は、ビームレベル測定を分類するために選定されるべき量を識別するようにユーザ機器（ＵＥ）を設定するための方法を提案する。
【００２１】
いくつかの実施形態によれば、測定報告のための、無線デバイスによって実施される方法は、少なくとも１つの測定量に基づいて測定リポートのための複数の測定を分類することを含む。本方法は、少なくとも１つの測定量に基づいて分類された複数の測定から選択された測定情報をネットワークノードに報告することをさらに含む。
【００２２】
いくつかの実施形態によれば、測定報告のための無線デバイスは、少なくとも１つの測定量に基づいて測定リポートのための複数の測定を分類することと、少なくとも１つの測定量に基づいて複数の測定から選択された測定情報をネットワークノードに報告することとを行うように設定された処理回路要素を含む。
【００２３】
いくつかの実施形態によれば、測定報告のために無線デバイスを設定するための、ネットワークノードによって実施される方法は、イベントベース測定報告のために無線デバイスを設定することと、無線デバイスから、イベントの検出に応答した複数の測定の分類に基づいて複数の測定から選択された測定情報を含む測定リポートを受信することとを含む。
【００２４】
いくつかの実施形態によれば、測定報告のために無線デバイスを設定するためのネットワークノードは、イベントベース測定報告のために無線デバイスを設定することと、無線デバイスから、イベントの検出に応答した複数の測定の分類に基づいて複数の測定から選択された測定情報を含む測定リポートを受信することとを行うように設定された処理回路要素を含む。
【００２５】
いくつかの実施形態は、（１つまたは複数の）以下の技術的利点のうちの１つまたは複数を提供し得る。たとえば、いくつかの実施形態は、ネットワークが巧妙な自己最適化ネットワーク（ＳＯＮ）機能を構築することを可能にするビームの分類のための、ＵＥからの規格化された挙動を提供し得る。
【００２６】
開示される実施形態ならびにそれらの特徴および利点のより完全な理解のために、次に、添付の図面とともに、以下の説明が参照される。
【図面の簡単な説明】
【００２７】
【図１】いくつかの実施形態による、測定報告プロシージャを示す図である。
【図２】いくつかの実施形態による、例示的なネットワークを示す図である。
【図３】いくつかの実施形態による、例示的なネットワークノードを示す図である。
【図４】いくつかの実施形態による、例示的な無線デバイスを示す図である。
【図５】いくつかの実施形態による、ＵＥの例示的な実施形態を示す図である。
【図６】いくつかの実施形態による、いくつかの実施形態によって実装される機能が仮想化され得る仮想化環境を示す図である。
【図７】いくつかの実施形態による、中間ネットワークを介してホストコンピュータに接続された通信ネットワークを示す図である。
【図８】いくつかの実施形態による、部分的無線接続上で基地局を介してユーザ機器と通信するホストコンピュータを示す図である。
【図９】いくつかの実施形態による、通信システムにおいて実装される例示的な方法を示す図である。
【図１０】いくつかの実施形態による、通信システムにおいて実装される別の例示的な方法を示す図である。
【図１１】いくつかの実施形態による、通信システムにおいて実装される別の例示的な方法を示す図である。
【図１２】いくつかの実施形態による、通信システムにおいて実装される別の例示的な方法を示す図である。
【図１３】いくつかの実施形態による、無線ネットワークにおける例示的な方法を示す図である。
【図１４】いくつかの実施形態による、無線ネットワークにおける装置の概略ブロック図である。
【図１５】いくつかの実施形態による、測定報告のための、無線デバイスによる例示的な方法を示す図である。
【図１６】いくつかの実施形態による、無線ネットワークにおける装置の概略ブロック図である。
【図１７】いくつかの実施形態による、測定報告のために無線デバイスを設定するための、ネットワークノードによる例示的な方法を示す図である。
【図１８】いくつかの実施形態による、無線ネットワークにおける装置の概略ブロック図である。
【発明を実施するための形態】
【００２８】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００２９】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００３０】
以下の実施形態は、少なくとも、ｉ）ビーム測定情報を含む周期測定報告、ｉｉ）ビーム測定情報を含むイベントトリガ型測定報告における、セルおよびビームレベル測定報告のために適用可能である。
【００３１】
イベントトリガ型測定報告の場合、いくつかの実施形態は、以下のケースを、ビーム測定情報を分類することの問題と、これらのケースに基づくセルとについて、仮定し得る。
−  単一のトリガ量が単一のＲＳタイプに基づく。
・  ＲＳＲＰ、ＲＳＲＱまたはＳＩＮＲ、それらのいずれもＳＳ／ＰＢＣＨブロックに基づく。
・  ＲＳＲＰ、ＲＳＲＱまたはＳＩＮＲ、それらのいずれもＣＳＩ−ＲＳに基づく。
−  単一のトリガ量が複数のＲＳタイプに基づく。
・  ＲＳＲＰ、ＲＳＲＱまたはＳＩＮＲ。異なるＲＳタイプを用いて測定される同じトリガ量があり得る。
〇  たとえば、イベントは、２つのＲＳＲＰ値に基づいてトリガされるように設定され得、２つのＲＳＲＰ値のうちの一方がＳＳ／ＰＢＣＨブロックに基づいて測定され、他方がＣＳＩ−ＲＳに基づいて測定される。
〇  たとえば、イベントは、２つのＲＳＲＱ値に基づいてトリガされるように設定され得、２つのＲＳＲＱ値のうちの一方がＳＳ／ＰＢＣＨブロックに基づいて測定され、他方がＣＳＩ−ＲＳに基づいて測定される。
〇  たとえば、イベントは、２つのＳＩＮＲ値に基づいてトリガされるように設定され得、２つのＳＩＮＲ値のうちの一方がＳＳ／ＰＢＣＨブロックに基づいて測定され、他方がＣＳＩ−ＲＳに基づいて測定される。
・  ＲＳＲＰ、ＲＳＲＱまたはＳＩＮＲ、それらのいずれもＣＳＩ−ＲＳに基づく。
−  複数のトリガ量がイベントごとの単一のＲＳタイプに基づく。
・  ＲＳＲＰとＲＳＲＱ、ＲＳＲＰとＳＩＮＲ、ＲＳＲＱとＳＩＮＲ、ＲＳＲＰとＲＳＲＱとＳＩＮＲ、すべてがＳＳ／ＰＢＣＨブロックに基づく。
・  ＲＳＲＰとＲＳＲＱ、ＲＳＲＰとＳＩＮＲ、ＲＳＲＱとＳＩＮＲ、ＲＳＲＰとＲＳＲＱとＳＩＮＲ、すべてがＣＳＩ−ＲＳに基づく。
−  複数のトリガ量がイベントごとの複数のＲＳタイプに基づく。
・  ＲＳＲＰがＳＳ／ＰＢＣＨブロックに基づき、ＲＳＲＱがＣＳＩ−ＲＳに基づく。
・  ＲＳＲＰがＣＳＩ−ＲＳに基づき、ＲＳＲＱがＳＳ／ＰＢＣＨブロックに基づく。
・  ＲＳＲＰがＳＳ／ＰＢＣＨブロックに基づき、ＳＩＮＲがＣＳＩ−ＲＳに基づく。
・  ＲＳＲＰがＣＳＩ−ＲＳに基づき、ＳＩＮＲがＳＳ／ＰＢＣＨブロックに基づく。
・  ＲＳＲＱがＳＳ／ＰＢＣＨブロックに基づき、ＳＩＮＲがＣＳＩ−ＲＳに基づく。
・  ＲＳＲＱがＣＳＩ−ＲＳに基づき、ＳＩＮＲがＳＳ／ＰＢＣＨブロックに基づく。
・  ＲＳＲＰとＲＳＲＱとＳＩＮＲとがＲＳタイプの任意の組合せに基づく。たとえば、ＲＳＲＰとＲＳＲＱとがＳＳ／ＰＢＣＨブロックに基づき、ＳＩＮＲがＣＳＩ−ＲＳに基づく。別の例では、ＲＳＲＰとＳＩＮＲとがＳＳ／ＰＢＣＨブロックに基づき、ＲＳＲＱがＣＳＩ−ＲＳに基づく。
【００３２】
いくつかの実施形態によれば、ネットワークは、異なるビームおよびセルレベル測定情報を設定し得る。たとえば、ネットワークは、（１つまたは複数の）ＳＳ／ＰＢＣＨブロックに基づく以下の測定情報を報告するようにＵＥを設定し得る。
−  ＳＳ／ＰＢＣＨブロックごとの、セルおよび／またはビームごとの測定結果、
−  （１つまたは複数の）ＳＳ／ＰＢＣＨブロックのインデックス（すなわち、ＳＳ／ＰＢＣＨブロックがビームフォーミングされ、測定のために設定されたときのビームごとのインデックス）。
【００３３】
ネットワークは、ＣＳＩ−ＲＳリソースに基づく以下の測定情報を報告するようにＵＥを設定し得る。
−  ＣＳＩ−ＲＳリソースごとの、セルごとの、および／またはビームごとの測定結果、
−  ＣＳＩ−ＲＳリソース測定識別子。
【００３４】
いくつかの実施形態によれば、ｔｒｉｇｇｅｒＱｕａｎｔｉｔｙと呼ばれ得る単一のパラメータが、多目的パラメータとしてｒｅｐｏｒｔＣｏｎｆｉｇ中で規定され、複数のイベントタイプについて規定される。
【００３５】
特定の実施形態では、たとえば、ｔｒｉｇｇｅｒＱｕａｎｔｉｔｙと呼ばれる単一のパラメータは、共通パラメータとして、イベントトリガ型リポートタイプおよび周期的リポートタイプについてのｒｅｐｏｒｔＣｏｎｆｉｇ中で規定され得る。パラメータｔｒｉｇｇｅｒＱｕａｎｔｉｔｙは、ｒｅｐｏｒｔＣｏｎｆｉｇ中で規定され得、続いてｔｒｉｇｇｅｒＱｕａｎｔｉｔｙ：：＝ＥＮＵＭＥＲＡＴＥＤ｛ｒｓｒｐ，ｒｓｒｑ，ｓｉｎｒ｝として符号化され得る。
【００３６】
以下は、その共通パラメータがどのようにＡＳＮ．１でコーディングされ得るかのいくつかの例である。たとえば、ｔｒｉｇｇｅｒＱｕａｎｔｉｔｙは、以下で示されているように、複数のリポートタイプ、たとえば周期的またはｅｖｅｎｔＴｒｉｇｇｅｒｅｄについて有効であり、ｒｅｐｏｒｔＴｙｐｅ外でコーディングされ得る。
2021505070.tif 000003
2021505070.tif 000004
2021505070.tif 000005
【００３７】
他の実施形態によれば、同じ多目的パラメータｔｒｉｇｇｅｒＱｕａｎｔｉｔｙが各ｒｅｐｏｒｔＴｙｐｅ内で符号化され得、それは、以下で示されているように、周期的またはｅｖｅｎｔＴｒｉｇｇｅｒｅｄなど、使用されるように意図されている。
2021505070.tif 000006
2021505070.tif 000007
2021505070.tif 000008
【００３８】
いくつかの他の実施形態によれば、以下で示されているように、各イベント内のイベントトリガ型リポートタイプについてのパラメータが、将来において導入されることになる他のイベントのために適用可能でないことがあるので、そのパラメータは符号化される。
2021505070.tif 000009
2021505070.tif 000010
2021505070.tif 000011
【００３９】
いくつかの実施形態によれば、ＵＥアクションは、「ｒｓｒｐ」、「ｒｓｒｑ」または「ｓｉｎｒ」であり得る、測定識別子（ｍｅａｓＩｄ）のためのｒｅｐｏｒｔＣｏｎｆｉｇ中のパラメータ値に応じてとられ得る。例として、ＵＥは、以下を行うものとする。
−  イベントトリガ型リポートタイプが設定された場合、およびビーム報告がそのイベントのために設定された場合、または、
−  周期的リポートタイプが設定された場合、およびビーム報告がそのリポートタイプのために設定された場合、
・  ＵＥは、設定された値に基づいて、測定リポート中に含まれるべきネイバーセル測定結果を分類するものとし、すなわち、ネットワークが「ｒｓｒｐ」を設定する場合、セル測定結果とビーム測定情報の両方がＲＳＲＰ測定（ＳＳ／ＰＢＣＨブロックまたはＣＳＩ−ＲＳのいずれかに基づく、セルＲＳＲＰ値およびＬ３フィルタ処理済みのビームＲＳＲＰ値）に基づいて分類される。
−  周期的リポートタイプが設定された場合、およびビーム報告がそのリポートタイプのために設定された場合、
・  ＵＥは、設定されたパラメータを、その設定されたイベントについてのトリガ量、すなわちＲＳＲＰ、ＲＳＲＱまたはＳＩＮＲとして仮定するものとする。
−  ＵＥが、（１つまたは複数の）設定されたサービングセルについて、ビーム測定情報を含めるべきであるとき、セルごとに複数のビームがあり得、分類が必要とされる。したがって、ＵＥは、以下を行うものとする。
・  報告されることになるビームが、１つのＲＳタイプのみに関連する測定を有する場合、ｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、利用可能なＲＳタイプについてのｔｒｉｇｇｅｒＱｕａｎｔｉｔｙに関連する最良のビームが最初に含められる。
−  ＵＥが、各サービング周波数における（１つまたは複数の）設定された最良のネイバーについて、ビーム測定情報を含めるべきであるとき、最良のネイバーセルごとに複数のビームがあり得、分類が必要とされる。したがって、ＵＥは、以下を行うものとする。
・  報告されることになるビームが、１つのＲＳタイプのみに関連する測定を有する場合、ｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、利用可能なＲＳタイプについてのｔｒｉｇｇｅｒＱｕａｎｔｉｔｙに関連する最良のビームが最初に含められる。
【００４０】
いくつかの実施形態によれば、パラメータは、そのパラメータが、測定リポート中に、（１つまたは複数の）サービングセルと、（１つまたは複数の）サービング周波数における（１つまたは複数の）最良のネイバーとに関連するビーム測定情報を含めるための順序付け、すなわち、ＲＳＲＰ、ＲＳＲＱまたはＳＩＮＲによって順序付けされる、を示すためにも使用されるという点で、多目的であると言われることがある。
【００４１】
別の実施形態では、値ＳＳ／ＰＢＣＨブロックまたはＣＳＩ−ＲＳをとることができる、ｒｅｐｏｒｔＣｏｎｆｉｇ中の既存のパラメータｒｓＴｙｐｅが、同じく多目的である。現在の３８．３３１ドラフト仕様において規定されているように、パラメータは、そのリポートタイプに関連するネイバー測定のためにどのＲＳタイプが使用されるべきであるかを選択するために使用されるにすぎない。この実施形態において提案されるように、パラメータは、さらに、測定リポート中に含めるべき、サービングセルに関連するビームを分類することに関係する追加のＵＥアクションのために使用されるものとする。
−  イベントトリガ型リポートタイプが設定された場合、または、
−  周期的リポートタイプが設定された場合、
・  報告されることになる（１つまたは複数の）設定されたサービングセルに関連するビームが、複数のＲＳタイプ、たとえばＳＳ／ＰＢＣＨブロックおよびＣＳＩ−ＲＳに関連する測定を有する場合、リポートをトリガしたｒｅｐｏｒｔＣｏｎｆｉｇ中の同じｒｓＴｙｐｅに関連するｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、設定されたｒｓＴｙｐｅを使用して測定されるｔｒｉｇｇｅｒＱｕａｎｔｉｔｙに関連する最良のビームが最初に含まれ、言い換えれば、ＵＥがＣＳＩ−ＲＳおよびＳＳ／ＰＢＣＨブロック（ＳＳＢ）に関連する利用可能なビーム測定情報（たとえばＲＳＲＰとＲＳＲＱの両方）を有すると仮定する。次いで、ｔｒｉｇｇｅｒＱｕａｎｔｉｔｙがｒｓｒｐである場合、分類はＲＳＲＰに基づいて行われるものとする。ただし、２つのＲＳＲＰ値があり得、一方はＳＳＢに基づき、他方はＣＳＩ−ＲＳに基づく。ｒｅｐｏｒｔＣｏｎｆｉｇ中のｒｓＴｙｐｅがＳＳＢである場合、分類基準として使用されるべきＲＳＲＰ値はＳＳＢであるものとする。そうではなく、ｒｅｐｏｒｔＣｏｎｆｉｇ中のｒｓＴｙｐｅがＣＳＩ−ＲＳである場合、分類基準として使用されるべきＲＳＲＰ値はＣＳＩ−ＲＳであるものとする。
−  ＵＥが、各サービング周波数における（１つまたは複数の）設定された最良のネイバーについて、ビーム測定情報を含めるべきであるとき、１つまたは複数の「最良の」セルの概念は、量（最良のＲＳＲＰ？最良のＲＳＲＱ？最良ＳＩＮＲ？）およびＲＳタイプ（最良はＳＳＢに従う？最良はＣＳＩ−ＲＳに従う？）に応じて変動し得る。したがって、ＵＥが利用可能な複数のこれらの測定を有し、Ｋ個の最良のセルのみを含めるものとする場合、ＵＥは、以下を行うものとする。
・  報告されることになる（１つまたは複数の）設定されたサービング周波数における最良のセルが、複数のＲＳタイプ、たとえばＳＳ／ＰＢＣＨブロックおよびＣＳＩ−ＲＳに関連する測定を有する場合、リポートをトリガしたｒｅｐｏｒｔＣｏｎｆｉｇ中の同じｒｓＴｙｐｅに関連するｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、設定されたｒｓＴｙｐｅを使用して測定されるｔｒｉｇｇｅｒＱｕａｎｔｉｔｙに関連する最良のセルが最初に含まれ、言い換えれば、ＵＥがＣＳＩ−ＲＳおよびＳＳ／ＰＢＣＨブロック（ＳＳＢ）に関連する利用可能なセル測定（たとえばＲＳＲＰとＲＳＲＱの両方）を有すると仮定する。次いで、ｔｒｉｇｇｅｒＱｕａｎｔｉｔｙがｒｓｒｐである場合、分類はＲＳＲＰに基づいて行われるものとする。ただし、２つのＲＳＲＰ値があり得、一方はＳＳＢに基づき、他方はＣＳＩ−ＲＳに基づく。ｒｅｐｏｒｔＣｏｎｆｉｇ中のｒｓＴｙｐｅがＳＳＢである場合、分類基準として使用されるべきＲＳＲＰ値はＳＳＢであるものとする。そうではなく、ｒｅｐｏｒｔＣｏｎｆｉｇ中のｒｓＴｙｐｅがＣＳＩ−ＲＳである場合、分類基準として使用されるべきＲＳＲＰ値はＣＳＩ−ＲＳであるものとする。
・  報告されることになる（１つまたは複数の）設定されたサービング周波数における（１つまたは複数の）最良のセルの最良のビームが、複数のＲＳタイプ、たとえばＳＳ／ＰＢＣＨブロックおよびＣＳＩ−ＲＳに関連する測定を有する場合、リポートをトリガしたｒｅｐｏｒｔＣｏｎｆｉｇ中の同じｒｓＴｙｐｅに関連するｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、設定されたｒｓＴｙｐｅを使用して測定されるｔｒｉｇｇｅｒＱｕａｎｔｉｔｙに関連する最良のセルが最初に含まれ、言い換えれば、ＵＥがＣＳＩ−ＲＳおよびＳＳ／ＰＢＣＨブロック（ＳＳＢ）に関連する利用可能なセル測定（たとえばＲＳＲＰとＲＳＲＱの両方）を有すると仮定する。次いで、ｔｒｉｇｇｅｒＱｕａｎｔｉｔｙがｒｓｒｐである場合、分類はＲＳＲＰに基づいて行われるものとする。ただし、２つのＲＳＲＰ値があり得、一方はＳＳＢに基づき、他方はＣＳＩ−ＲＳに基づく。ｒｅｐｏｒｔＣｏｎｆｉｇ中のｒｓＴｙｐｅがＳＳＢである場合、分類基準として使用されるべきＲＳＲＰ値はＳＳＢであるものとする。そうではなく、ｒｅｐｏｒｔＣｏｎｆｉｇ中のｒｓＴｙｐｅがＣＳＩ−ＲＳである場合、分類基準として使用されるべきＲＳＲＰ値はＣＳＩ−ＲＳであるものとする。
【００４２】
報告されることになるビームが、複数のＲＳタイプ、たとえばＳＳ／ＰＢＣＨブロックおよびＣＳＩ−ＲＳに関連する測定を有する場合、ｒｅｐｏｒｔＣｏｎｆｉｇ中の同じｒｓＴｙｐｅに関連するｔｒｉｇｇｅｒＱｕａｎｔｉｔｙの大きいものから順に、関係するｒｅｐｏｒｔＣｏｎｆｉｇ内のｒｅｐｏｒｔＱｕａｎｔｉｔｙ中で示される（１つまたは複数の）量を含めるようにｍｅａｓＲｅｓｕｌｔをセットし、すなわち、設定されたｒｓＴｙｐｅを使用して測定されるｔｒｉｇｇｅｒＱｕａｎｔｉｔｙに関連する最良のビームが最初に含まれる。
【００４３】
図１は、いくつかの実施形態による、測定報告プロシージャを示す。測定報告プロシージャに関して、プロシージャテキストが、以下のように、ＮＲ  ＲＲＣ仕様３８．３３１について書かれ得る。
このプロシージャの目的は、測定結果をＵＥからネットワークに転送することである。ＵＥは、成功したセキュリティアクティブ化の後にのみこのプロシージャを始動するものとする。
測定報告プロシージャがトリガされたｍｅａｓＩｄについて、ＵＥは、以下のように、ＭｅａｓｕｒｅｍｅｎｔＲｅｐｏｒｔメッセージ内にｍｅａｓＲｅｓｕｌｔｓをセットするものとする。
１＞  ｍｅａｓＩｄを、測定報告をトリガした測定識別情報にセットする。
１＞  ＳＳ／ＰＢＣＨブロックおよびＣＳＩ−ＲＳ測定に基づくＰＣｅｌｌのすべての利用可能なセルおよびビーム量を含めるように、ｍｅａｓＲｅｓｕｌｔＳｅｒｖｉｎｇＦｒｅｑＬｉｓｔ内にｍｅａｓＲｅｓｕｌｔＳｅｒｖｉｎｇＣｅｌｌをセットする。
１＞  ＴＳ３８．１３３における性能要件に従って利用可能な場合、設定された各ＳＣｅｌｌについて、もしあれば、ｓｅｒｖＦｒｅｑＩｄと、ＳＳ／ＰＢＣＨブロックおよびＣＳＩ−ＲＳ測定に基づく関係するＳＣｅｌｌのすべての利用可能なセルおよびビーム量とを含めるように、ｍｅａｓＲｅｓｕｌｔＳｅｒｖＦｒｅｑＬｉｓｔ内にｍｅａｓＲｅｓｕｌｔＳｅｒｖｉｎｇＣｅｌｌをセットする。
１＞  測定報告をトリガしたｍｅａｓＩｄに関連するｒｅｐｏｒｔＣｏｎｆｉｇがｒｅｐｏｒｔＡｄｄＮｅｉｇｈＭｅａｓを含む場合、
２＞  測定報告をトリガしたｍｅａｓＩｄと対応する周波数以外の、ｍｅａｓＯｂｊｅｃｔＩｄがｍｅａｓＩｄＬｉｓｔ中で参照される各サービング周波数について、
３＞  関係するサービング周波数上の最良の非サービングセルのｐｈｙｓＣｅｌｌＩｄおよび量とを含めるように、ｍｅａｓＲｅｓｕｌｔＳｅｒｖＦｒｅｑＬｉｓｔ内にｍｅａｓＲｅｓｕｌｔＢｅｓｔＮｅｉｇｈＣｅｌｌをセットする。
［サービング周波数における最良の隣接セルに関係する、報告されることになる情報の詳細、たとえば、どのＲＳタイプか、どの量か、ビーム報告がサポートされるかどうかなどは、将来の検討が必要である。さらに、ＵＥが測定リポート中にＰＣｅｌｌ／ＳＣｅｌｌのすべての利用可能なビーム情報を含めるものとするかどうか、または、ＵＥが、そのｍｅａｓＩｄに関連するｒｅｐｏｒｔＣｏｎｆｉｇ中で示されるＰＣｅｌｌ／ＰＳＣｅｌｌのビーム情報のみを含めるものとするかどうかは、将来の検討が必要である。］
１＞  報告すべき少なくとも１つの適用可能な隣接セルがある場合、
２＞  以下に従って、ｍａｘＲｅｐｏｒｔＣｅｌｌｓまでの最良の隣接セルを含めるようにｍｅａｓＲｅｓｕｌｔＮｅｉｇｈＣｅｌｌｓをセットする。
３＞  ｒｅｐｏｒｔＴｙｐｅがｅｖｅｎｔＴｒｉｇｇｅｒｅｄにセットされた場合、
４＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に含まれるセルを含める。
３＞  他の場合、
４＞  新しい測定結果が、最後の周期的報告からあるいは測定が始動またはリセットされてから利用可能になった適用可能なセルを含め、
４＞  ｒｅｐｏｒｔＱｕａｎｔｉｔｙＲｓＩｎｄｅｘｅｓが設定された場合、５．５．５．１に記載されているように、ビーム測定情報を含める。
３＞  ｍｅａｓＲｅｓｕｌｔＮｅｉｇｈＣｅｌｌｓ中に含まれる各セルについて、ｐｈｙｓＣｅｌｌＩｄを含める。
３＞  ｒｅｐｏｒｔＴｙｐｅがｅｖｅｎｔＴｒｉｇｇｅｒｅｄにセットされた場合、
４＞  各含まれるセルについて、以下のように順序付けされて、このｍｅａｓＩｄのためのｒｅｐｏｒｔＣｏｎｆｉｇに従って、レイヤ３フィルタ処理済みの測定された結果を含める。
５＞  このｍｅａｓＩｄに関連するｍｅａｓＯｂｊｅｃｔがＮＲに関係する場合、
６＞  関連するｒｅｐｏｒｔＣｏｎｆｉｇ中のｒｓＴｙｐｅがｓｓにセットされた場合、
＞  ｔｒｉｇｇｅｒＱｕａｎｔｉｔｙパラメータ中で示される量の大きいものから順に、関係するｒｅｐｏｒｔＣｏｎｆｉｇ内のｒｅｐｏｒｔＱｕａｎｔｉｔｙＣｅｌｌ中で示される（１つまたは複数の）ＳＳ／ＰＢＣＨブロックベース量を含めるように、ｍｅａｓＲｅｓｕｌｔ内にｒｅｓｕｌｔｓＳＳＢＣｅｌｌをセットし、すなわち、最良のセルが最初に含められ、
＞  ｒｅｐｏｒｔＱｕａｎｔｉｔｙＲｓＩｎｄｅｘｅｓが設定された場合、５．５．５．１に記載されているように、ビーム測定情報を含める。
６＞  もし、
６＞  関連するｒｅｐｏｒｔＣｏｎｆｉｇ中のｒｓＴｙｐｅがｃｓｉ−ｒｓにセットされた場合、
７＞  ｔｒｉｇｇｅｒＱｕａｎｔｉｔｙパラメータ中で示される量の大きいものから順に、関係するｒｅｐｏｒｔＣｏｎｆｉｇ内のｒｅｐｏｒｔＱｕａｎｔｉｔｙＣｅｌｌ中で示される（１つまたは複数の）ＣＳＩ−ＲＳベース量を含めるように、ｍｅａｓＲｅｓｕｌｔ内にｒｅｓｕｌｔｓＣＳＩ−ＲＳＣｅｌｌをセットし、すなわち、最良のセルが最初に含められ、
８＞  ｒｅｐｏｒｔＱｕａｎｔｉｔｙＲｓＩｎｄｅｘｅｓが設定された場合、５．５．５．１に記載されているように、ビーム測定情報を含める。
１＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを１だけ増分し、
１＞  稼動している場合、周期的報告タイマーを停止し、
１＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔが、このｍｅａｓＩｄのための対応するｒｅｐｏｒｔＣｏｎｆｉｇ内で規定されたｒｅｐｏｒｔＡｍｏｕｎｔよりも小さい場合、
２＞  このｍｅａｓＩｄのための対応するｒｅｐｏｒｔＣｏｎｆｉｇ内で規定されたｒｅｐｏｒｔＩｎｔｅｒｖａｌの値を用いて、周期的報告タイマーを開始する。
１＞  他の場合、
２＞  ｒｅｐｏｒｔＴｙｐｅが、周期的、にセットされた場合、
３＞  このｍｅａｓＩｄのためのＶａｒＭｅａｓＲｅｐｏｒｔＬｉｓｔ内のエントリを削除し、
３＞  ＶａｒＭｅａｓＣｏｎｆｉｇ内のｍｅａｓＩｄＬｉｓｔからこのｍｅａｓＩｄを削除する。
１＞  送信のためにＭｅａｓｕｒｅｍｅｎｔＲｅｐｏｒｔメッセージを下位レイヤにサブミットし、そのとき、プロシージャが終了する。
５．５．５．１  ビーム測定情報の報告
ネイバーに関連する測定リポート中に含まれるべきビーム測定情報について、ＵＥは、以下を行うものとする。
１＞  含まれるべき測定情報が（１つまたは複数の）サービングセルに関連し、ＳＳ／ＰＢＣＨブロック測定とＣＳＩ−ＲＳ測定の両方が利用可能である場合、ビーム順序付けを、ｒｅｐｏｒｔＣｏｎｆｉｇ中で設定されたｒｓＴｙｐｅに対して実施される測定に基づくと見なし、
１＞  含まれるべき測定情報が（１つまたは複数の）サービング周波数における（１つまたは複数の）最良のネイバーセルに関連し、ＳＳ／ＰＢＣＨブロック測定とＣＳＩ−ＲＳ測定の両方が利用可能である場合、ビーム順序付けを、ｒｅｐｏｒｔＣｏｎｆｉｇ中で設定されたｒｓＴｙｐｅに対して実施される測定に基づくと見なし、
１＞  以下のように、ｔｒｉｇｇｅｒＱｕａｎｔｉｔｙパラメータ中で示される量の大きいものから順にｍａｘＮｒｏＲｓＩｎｄｅｘｅｓＴｏＲｅｐｏｒｔ個のビームインデックスまでを含めるようにｒｓＩｎｄｅｘＲｅｓｕｌｔｓをセットする。
２＞  含まれるべき測定情報がＳＳ／ＰＢＣＨブロックに基づく場合、
３＞  そのＳＳ／ＰＢＣＨブロック量についての最良のビーム、および量が、対応するｍｅａｓＯｂｊｅｃｔについてのＶａｒＭｅａｓＣｏｎｆｉｇにおいて規定されたａｂｓＴｈｒｅｓｈＳＳ−ＢｌｏｃｋｓＣｏｎｓｏｌｉｄａｔｉｏｎを上回る残りのビームに関連するインデックスを、ｒｅｓｕｌｔｓＳＳＢＩｎｄｅｘｅｓ内に含め、
３＞  ｏｎｌｙＲｅｐｏｒｔＢｅａｍＩｄｓが設定されない場合、各ビームインデックスに関連するＳＳ／ＰＢＣＨベース測定結果を含める。
２＞  含まれるべきビーム測定情報がＣＳＩ−ＲＳに基づく場合、
３＞  そのＣＳＩ−ＲＳ量についての最良のビーム、および量が、対応するｍｅａｓＯｂｊｅｃｔについてのＶａｒＭｅａｓＣｏｎｆｉｇにおいて規定されたａｂｓＴｈｒｅｓｈＣＳＩ−ＲＳ−Ｃｏｎｓｏｌｉｄａｔｉｏｎを上回る残りのビームに関連するインデックスを、ｒｅｓｕｌｔｓＣＳＩ−ＲＳＩｎｄｅｘｅｓ内に含め、
３＞  ｏｎｌｙＲｅｐｏｒｔＢｅａｍＩｄｓが設定されない場合、各ビームインデックスに関連するＣＳＩ−ＲＳベース測定結果を含める。
【００４４】
いくつかの他の実施形態によれば、ｔｒｉｇｇｅｒＱｕａｎｔｉｔｙと呼ばれる単一のパラメータは、共通パラメータとして、イベントトリガ型リポートタイプおよび周期的リポートタイプについてのｒｅｐｏｒｔＣｏｎｆｉｇ中で規定され得る。パラメータｔｒｉｇｇｅｒＱｕａｎｔｉｔｙは、ｒｅｐｏｒｔＣｏｎｆｉｇ中で規定され、以下のように符号化され得る。
ｔｒｉｇｇｅｒＱｕａｎｔｉｔｙ：：＝ＳＥＱＵＥＮＣＥ｛
ｒｓｒｐ        ＢＯＯＬＥＡＮ，
ｒｓｒｑ        ＢＯＯＬＥＡＮ，
ｓｉｎｒ        ＢＯＯＬＥＡＮ
｝．
したがって、実施形態の前のセットは、ネットワークが単一のトリガ量を設定する場合、すなわち、１つの量のみが選択され（すなわち真にセットされ）、すべての残りの量が偽にセットされた場合、適用可能である。
【００４５】
以下で、その共通パラメータがどのようにＡＳＮ．１でコーディングされ得るかのいくつかの例を示す。たとえば、ｔｒｉｇｇｅｒＱｕａｎｔｉｔｙは、以下で示されているように、複数のリポートタイプ、たとえば周期的またはｅｖｅｎｔＴｒｉｇｇｅｒｅｄについて有効であり、ｒｅｐｏｒｔＴｙｐｅ外でコーディングされ得る。
2021505070.tif 000012
2021505070.tif 000013
2021505070.tif 000014
【００４６】
別の例では、同じ多目的パラメータｔｒｉｇｇｅｒＱｕａｎｔｉｔｙが各ｒｅｐｏｒｔＴｙｐｅ内で符号化され得、それは、以下で示されているように、周期的またはｅｖｅｎｔＴｒｉｇｇｅｒｅｄなど、使用されるように意図されている。
2021505070.tif 000015
2021505070.tif 000016
2021505070.tif 000017
【００４７】
また別の例では、以下で示されているように、イベントトリガ型リポートタイプについてのパラメータが、将来において導入されることになる他のイベントのために適用可能でないことがあるので、そのパラメータは、各イベント内で符号化され得る。
2021505070.tif 000018
2021505070.tif 000019
2021505070.tif 000020
2021505070.tif 000021
【００４８】
さらに他の実施形態では、ｔｒｉｇｇｅｒＱｕａｎｔｉｔｙと呼ばれる単一のパラメータは、共通パラメータとして、イベントトリガ型リポートタイプおよび周期的リポートタイプについてのｒｅｐｏｒｔＣｏｎｆｉｇ中で規定され得る。ただし、ｒｅｐｏｒｔＣｏｎｆｉｇ中で規定されたパラメータｔｒｉｇｇｅｒＱｕａｎｔｉｔｙは、以下のように符号化され得る。
ｔｒｉｇｇｅｒＱｕａｎｔｉｔｙ：：＝ＳＥＱＵＥＮＣＥ｛
ｒｓｒｐ        ＢＯＯＬＥＡＮ，
ｒｓｒｑ        ＢＯＯＬＥＡＮ，
ｓｉｎｒ        ＢＯＯＬＥＡＮ
｝．
【００４９】
および、さらに、イベントが複数のＲＳタイプに基づいてトリガされ得ることを示すために、ＩＥ  ｒｓＴｙｐｅはシーケンスとして規定される。
ｒｓＴｙｐｅ：：＝ＳＥＱＵＥＮＣＥ｛
ｓｓｂ          ＢＯＯＬＥＡＮ，
ｃｓｉ−ｒｓ    ＢＯＯＬＥＡＮ
｝．
【００５０】
いくつかの他の実施形態によれば、ビームレベル測定を分類するために使用されるべきビームレベル量は、ｍｅａｓＣｏｎｆｉｇ中で指定されている分類量選択方法に基づき得、さらに、ｒｅｐｏｒｔＣｏｎｆｉｇ中で指定されているｔｒｉｇｇｅｒＱｕａｎｔｉｔｙに基づき得る。この実施形態では、ネットワークは、ｒｅｐｏｒｔＣｏｎｆｉｇ中で指定されているｔｒｉｇｇｅｒＱｕａｎｔｉｔｙと、ビーム選択のためにＵＥによって使用されるべき分類方法のために使用される量とのマッピングを設定する。これらのマッピングの一部が下記の表で与えられる（以下の表は、ｍｅａｓＣｏｎｆｉｇ中で何らかのやり方で与えられる）。
2021505070.tif 000022
【００５１】
いくつかの他の実施形態では、ビームレベル測定を分類するために使用されるべきビームレベル量は、ｍｅａｓＣｏｎｆｉｇ中で指定されている分類量選択方法（マッピングテーブル）に基づき、さらに、ｒｅｐｏｒｔＣｏｎｆｉｇ中で指定されているｒｅｐｏｒｔＱｕａｎｔｉｔｙＲｓＩｎｄｅｘｅｓに基づく。この実施形態では、ネットワークは、ｒｅｐｏｒｔＣｏｎｆｉｇ中で指定されているｒｅｐｏｒｔＱｕａｎｔｉｔｙと、ビーム選択のためにＵＥによって使用されるべき分類方法のために使用される量とのマッピングを設定する。これらのマッピングの一部が下記の表で与えられる（以下の表は、ｍｅａｓＣｏｎｆｉｇ中で何らかのやり方で与えられる）。
2021505070.tif 000023
ＲＳＲＱとＳＩＮＲとがビームレベル報告のために示される他の実施形態では、ビームレベル測定の分類のために使用されるべき測定量は、ＲＳＲＱであり得る。
【００５２】
別の特定の実施形態では、複数のトリガ量（たとえばＲＳＲＰとＲＳＲＱ）の場合、ＵＥが、測定リポート中に含めるべきセルを分類するためにどの量が使用されるものとするかを知るように、明示的パラメータ（ｃｅｌｌｓＳｏｒｔｉｎｇＱｕａｎｔｉｔｙ）があり得る。
【００５３】
別の特定の実施形態では、複数のトリガ量（たとえばＲＳＲＰとＲＳＲＱ）の場合、ＵＥが、測定リポート中に含めるべきセルを分類するためにどの量が使用されるものとするかを知るように、明示的パラメータ（ｂｅａｍｓＳｏｒｔｉｎｇＱｕａｎｔｉｔｙ）があり得る。
【００５４】
別の特定の実施形態では、複数のトリガ量（たとえばＲＳＲＰとＲＳＲＱ）の場合、ＵＥが、測定リポート中に含めるべきセルおよびビームを分類するためにどの量が使用されるものとするかを知るように、明示的パラメータ（ｓｏｒｔｉｎｇＱｕａｎｔｉｔｙ）があり得る。
【００５５】
別の特定の実施形態では、トリガ量としての複数のＲＳタイプ（たとえばＳＳＢベースＲＳＲＰとＣＳＩ−ＲＳベースＲＳＲＰ）の場合、ＵＥが、測定リポート中に含めるべきセルを分類するためにどのＲＳタイプが使用されるものとするかを知るように、明示的パラメータ（ｃｅｌｌｓＳｏｒｔｉｎｇＱｕａｎｔｉｔｙ）があり得る。
【００５６】
別の特定の実施形態では、トリガ量としての複数のＲＳタイプ（たとえばＳＳＢベースＲＳＲＰとＣＳＩ−ＲＳベースＲＳＲＰ）の場合、ＵＥが、測定リポート中に含めるべきセルごとのビームを分類するためにどの量が使用されるものとするかを知るように、明示的パラメータ（ｂｅａｍｓＳｏｒｔｉｎｇＱｕａｎｔｉｔｙ）があり得る。
【００５７】
別の特定の実施形態では、トリガ量としての複数のＲＳタイプ（たとえばＳＳＢベースＲＳＲＰとＣＳＩ−ＲＳベースＲＳＲＰ）の場合、ＵＥが、測定リポート中に含めるべきセルおよびビームを分類するためにどの量が使用されるものとするかを知るように、明示的パラメータ（ｓｏｒｔｉｎｇＱｕａｎｔｉｔｙ）があり得る。
【００５８】
図２は、いくつかの実施形態による、無線ネットワークを示す。本明細書で説明される主題は、任意の好適な構成要素を使用する任意の適切なタイプのシステムにおいて実装され得るが、本明細書で開示される実施形態は、図２に示されている例示的な無線ネットワークなどの無線ネットワークに関して説明される。簡単のために、図２の無線ネットワークは、ネットワーク１０６、ネットワークノード１６０および１６０ｂ、ならびにＷＤ１１０および１１０ｂのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１６０および無線デバイス（ＷＤ）１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００５９】
無線ネットワークは、任意のタイプの通信、通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００６０】
ネットワーク１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを含み得る。
【００６１】
ネットワークノード１６０およびＷＤ１１０は、以下でより詳細に説明される様々な構成要素を含む。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを含み得る。
【００６２】
図３は、いくつかの実施形態による、ネットワークノードを示す。本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００６３】
図３では、ネットワークノード１６０は、処理回路要素１７０と、デバイス可読媒体１８０と、インターフェース１９０と、補助機器１８４と、電源１８６と、電力回路要素１８７と、アンテナ１６２とを含む。図２の例示的な無線ネットワーク中に示されているネットワークノード１６０は、ハードウェア構成要素の示されている組合せを含むデバイスを表し得るが、他の実施形態は、構成要素の異なる組合せをもつネットワークノードを含み得る。ネットワークノードが、本明細書で開示されるタスク、特徴、機能および方法を実施するために必要とされるハードウェアおよび／またはソフトウェアの任意の好適な組合せを含むことを理解されたい。その上、ネットワークノード１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を含み得る（たとえば、デバイス可読媒体１８０は、複数の別個のハードドライブならびに複数のＲＡＭモジュールを含み得る）。
【００６４】
同様に、ネットワークノード１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１６０が複数の別個の構成要素（たとえば、ＢＴＳ構成要素およびＢＳＣ構成要素）を含むいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１８０）、いくつかの構成要素は再利用され得る（たとえば、同じアンテナ１６２がＲＡＴによって共有され得る）。ネットワークノード１６０は、ネットワークノード１６０に統合された、たとえば、ＧＳＭ、ＷＣＤＭＡ、ＬＴＥ、ＮＲ、ＷｉＦｉ、またはＢｌｕｅｔｏｏｔｈ無線技術など、示されている様々な異なる無線技術のための構成要素の複数のセットをも含み得る。これらの無線技術は、同じまたは異なるチップまたはチップのセット、およびネットワークノード１６０内の他の構成要素に統合され得る。
【００６５】
処理回路要素１７０は、ネットワークノードによって提供されるものとして本明細書で説明される、任意の決定動作、計算動作、または同様の動作（たとえば、いくつかの取得動作）を実施するように設定される。処理回路要素１７０によって実施されるこれらの動作は、処理回路要素１７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００６６】
処理回路要素１７０は、単体で、またはデバイス可読媒体１８０などの他のネットワークノード１６０構成要素と併せてのいずれかで、ネットワークノード１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを含み得る。たとえば、処理回路要素１７０は、デバイス可読媒体１８０に記憶された命令、または処理回路要素１７０内のメモリに記憶された命令を実行し得る。そのような機能性は、本明細書で説明される様々な無線特徴、機能、または利益のうちのいずれかを提供することを含み得る。いくつかの実施形態では、処理回路要素１７０は、システムオンチップ（ＳＯＣ）を含み得る。
【００６７】
いくつかの実施形態では、処理回路要素１７０は、無線周波数（ＲＦ）トランシーバ回路要素１７２とベースバンド処理回路要素１７４とのうちの１つまたは複数を含み得る。いくつかの実施形態では、無線周波数（ＲＦ）トランシーバ回路要素１７２とベースバンド処理回路要素１７４とは、別個のチップ（またはチップのセット）、ボード、または無線ユニットおよびデジタルユニットなどのユニット上にあり得る。代替実施形態では、ＲＦトランシーバ回路要素１７２とベースバンド処理回路要素１７４との一部または全部は、同じチップまたはチップのセット、ボード、あるいはユニット上にあり得る。
【００６８】
いくつかの実施形態では、ネットワークノード、基地局、ｅＮＢまたは他のそのようなネットワークデバイスによって提供されるものとして本明細書で説明される機能性の一部または全部は、デバイス可読媒体１８０、または処理回路要素１７０内のメモリに記憶された、命令を実行する処理回路要素１７０によって実施され得る。代替実施形態では、機能性の一部または全部は、ハードワイヤード様式などで、別個のまたは個別のデバイス可読媒体に記憶された命令を実行することなしに、処理回路要素１７０によって提供され得る。それらの実施形態のいずれでも、デバイス可読記憶媒体に記憶された命令を実行するか否かにかかわらず、処理回路要素１７０は、説明される機能性を実施するように設定され得る。そのような機能性によって提供される利益は、処理回路要素１７０単独に、またはネットワークノード１６０の他の構成要素に限定されないが、全体としてネットワークノード１６０によって、ならびに／または概してエンドユーザおよび無線ネットワークによって、享受される。
【００６９】
デバイス可読媒体１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１７０によって使用され得る情報、データ、および／または命令を記憶する、任意の他の揮発性または不揮発性、非一時的デバイス可読および／またはコンピュータ実行可能メモリデバイスを含み得る。デバイス可読媒体１８０は、コンピュータプログラム、ソフトウェア、論理、ルール、コード、テーブルなどのうちの１つまたは複数を含むアプリケーション、および／または処理回路要素１７０によって実行されることが可能であり、ネットワークノード１６０によって利用される、他の命令を含む、任意の好適な命令、データまたは情報を記憶し得る。デバイス可読媒体１８０は、処理回路要素１７０によって行われた計算および／またはインターフェース１９０を介して受信されたデータを記憶するために使用され得る。いくつかの実施形態では、処理回路要素１７０およびデバイス可読媒体１８０は、統合されていると見なされ得る。
【００７０】
インターフェース１９０は、ネットワークノード１６０、ネットワーク１０６、および／またはＷＤ１１０の間のシグナリングおよび／またはデータの有線または無線通信において使用される。示されているように、インターフェース１９０は、たとえば有線接続上でネットワーク１０６との間でデータを送るおよび受信するための（１つまたは複数の）ポート／（１つまたは複数の）端末１９４を含む。インターフェース１９０は、アンテナ１６２に結合されるか、またはいくつかの実施形態では、アンテナ１６２の一部であり得る、無線フロントエンド回路要素１９２をも含む。無線フロントエンド回路要素１９２は、フィルタ１９８と増幅器１９６とを含む。無線フロントエンド回路要素１９２は、アンテナ１６２および処理回路要素１７０に接続され得る。無線フロントエンド回路要素は、アンテナ１６２と処理回路要素１７０との間で通信される信号を調節するように設定され得る。無線フロントエンド回路要素１９２は、無線接続を介して他のネットワークノードまたはＷＤに送出されるべきであるデジタルデータを受信し得る。無線フロントエンド回路要素１９２は、デジタルデータを、フィルタ１９８および／または増幅器１９６の組合せを使用して適切なチャネルおよび帯域幅パラメータを有する無線信号に変換し得る。無線信号は、次いで、アンテナ１６２を介して送信され得る。同様に、データを受信するとき、アンテナ１６２は無線信号を収集し得、次いで、無線信号は無線フロントエンド回路要素１９２によってデジタルデータに変換される。デジタルデータは、処理回路要素１７０に受け渡され得る。他の実施形態では、インターフェースは、異なる構成要素および／または構成要素の異なる組合せを含み得る。
【００７１】
いくつかの代替実施形態では、ネットワークノード１６０は別個の無線フロントエンド回路要素１９２を含まないことがあり、代わりに、処理回路要素１７０は、無線フロントエンド回路要素を含み得、別個の無線フロントエンド回路要素１９２なしでアンテナ１６２に接続され得る。同様に、いくつかの実施形態では、ＲＦトランシーバ回路要素１７２の全部または一部が、インターフェース１９０の一部と見なされ得る。さらに他の実施形態では、インターフェース１９０は、無線ユニット（図示せず）の一部として、１つまたは複数のポートまたは端末１９４と、無線フロントエンド回路要素１９２と、ＲＦトランシーバ回路要素１７２とを含み得、インターフェース１９０は、デジタルユニット（図示せず）の一部であるベースバンド処理回路要素１７４と通信し得る。
【００７２】
アンテナ１６２は、無線信号を送り、および／または受信するように設定された、１つまたは複数のアンテナまたはアンテナアレイを含み得る。アンテナ１６２は、無線フロントエンド回路要素１９２に結合され得、データおよび／または信号を無線で送信および受信することが可能な任意のタイプのアンテナであり得る。いくつかの実施形態では、アンテナ１６２は、たとえば２ＧＨｚから６６ＧＨｚの間の無線信号を送信／受信するように動作可能な１つまたは複数の全方向、セクタまたはパネルアンテナを含み得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１６２は、ネットワークノード１６０とは別個であり得、インターフェースまたはポートを通してネットワークノード１６０に接続可能であり得る。アンテナ１６２、インターフェース１９０、および／または処理回路要素１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１６２、インターフェース１９０、および／または処理回路要素１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００７３】
電力回路要素１８７は、電力管理回路要素を含むか、または電力管理回路要素に結合され得、本明細書で説明される機能性を実施するための電力を、ネットワークノード１６０の構成要素に供給するように設定される。電力回路要素１８７は、電源１８６から電力を受信し得る。電源１８６および／または電力回路要素１８７は、それぞれの構成要素に好適な形式で（たとえば、各それぞれの構成要素のために必要とされる電圧および電流レベルにおいて）、ネットワークノード１６０の様々な構成要素に電力を提供するように設定され得る。電源１８６は、電力回路要素１８７および／またはネットワークノード１６０中に含まれるか、あるいは電力回路要素１８７および／またはネットワークノード１６０の外部にあるかのいずれかであり得る。たとえば、ネットワークノード１６０は、電気ケーブルなどの入力回路要素またはインターフェースを介して外部電源（たとえば、電気コンセント）に接続可能であり得、それにより、外部電源は電力回路要素１８７に電力を供給する。さらなる例として、電源１８６は、電力回路要素１８７に接続された、または電力回路要素１８７中で統合された、バッテリーまたはバッテリーパックの形態の電力源を含み得る。バッテリーは、外部電源が落ちた場合、バックアップ電力を提供し得る。光起電力デバイスなどの他のタイプの電源も使用され得る。
【００７４】
ネットワークノード１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図３に示されている構成要素以外の追加の構成要素を含み得る。たとえば、ネットワークノード１６０は、ネットワークノード１６０への情報の入力を可能にするための、およびネットワークノード１６０からの情報の出力を可能にするための、ユーザインターフェース機器を含み得る。これは、ユーザが、ネットワークノード１６０のための診断、メンテナンス、修復、および他の管理機能を実施することを可能にし得る。
【００７５】
図４は、いくつかの実施形態による、無線デバイス（ＷＤ）１１０を示す。本明細書で使用されるＷＤは、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデ��イスまたはモバイル端末と呼ばれることもある。
【００７６】
示されているように、無線デバイス１１０は、アンテナ１１１と、インターフェース１１４と、処理回路要素１２０と、デバイス可読媒体１３０と、ユーザインターフェース機器１３２と、補助機器１３４と、電源１３６と、電力回路要素１３７とを含む。ＷＤ１１０は、ＷＤ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１１０内の他の構成要素と同じまたは異なるチップまたはチップのセットに統合され得る。
【００７７】
アンテナ１１１は、無線信号を送り、および／または受信するように設定された、１つまたは複数のアンテナまたはアンテナアレイを含み得、インターフェース１１４に接続される。いくつかの代替実施形態では、アンテナ１１１は、ＷＤ１１０とは別個であり、インターフェースまたはポートを通してＷＤ１１０に接続可能であり得る。アンテナ１１１、インターフェース１１４、および／または処理回路要素１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ１１１は、インターフェースと見なされ得る。
【００７８】
示されているように、インターフェース１１４は、無線フロントエンド回路要素１１２とアンテナ１１１とを含む。無線フロントエンド回路要素１１２は、１つまたは複数のフィルタ１１８と増幅器１１６とを含む。無線フロントエンド回路要素１１２は、アンテナ１１１および処理回路要素１２０に接続され、アンテナ１１１と処理回路要素１２０との間で通信される信号を調節するように設定される。無線フロントエンド回路要素１１２は、アンテナ１１１に結合されるか、またはアンテナ１１１の一部であり得る。いくつかの実施形態では、ＷＤ１１０は別個の無線フロントエンド回路要素１１２を含まないことがあり、むしろ、処理回路要素１２０は、無線フロントエンド回路要素を含み得、アンテナ１１１に接続され得る。同様に、いくつかの実施形態では、ＲＦトランシーバ回路要素１２２の一部または全部が、インターフェース１１４の一部と見なされ得る。無線フロントエンド回路要素１１２は、無線接続を介して他のネットワークノードまたはＷＤに送出されるべきであるデジタルデータを受信し得る。無線フロントエンド回路要素１１２は、デジタルデータを、フィルタ１１８および／または増幅器１１６の組合せを使用して適切なチャネルおよび帯域幅パラメータを有する無線信号に変換し得る。無線信号は、次いで、アンテナ１１１を介して送信され得る。同様に、データを受信するとき、アンテナ１１１は無線信号を収集し得、次いで、無線信号は無線フロントエンド回路要素１１２によってデジタルデータに変換される。デジタルデータは、処理回路要素１２０に受け渡され得る。他の実施形態では、インターフェースは、異なる構成要素および／または構成要素の異なる組合せを含み得る。
【００７９】
処理回路要素１２０は、単体で、またはデバイス可読媒体１３０などの他のＷＤ１１０構成要素と併せてのいずれかで、ＷＤ１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを含み得る。そのような機能性は、本明細書で説明される様々な無線特徴または利益のうちのいずれかを提供することを含み得る。たとえば、処理回路要素１２０は、本明細書で開示される機能性を提供するために、デバイス可読媒体１３０に記憶された命令、または処理回路要素１２０内のメモリに記憶された命令を実行し得る。
【００８０】
示されているように、処理回路要素１２０は、ＲＦトランシーバ回路要素１２２、ベースバンド処理回路要素１２４、およびアプリケーション処理回路要素１２６のうちの１つまたは複数を含む。他の実施形態では、処理回路要素は、異なる構成要素および／または構成要素の異なる組合せを含み得る。いくつかの実施形態では、ＷＤ１１０の処理回路要素１２０は、ＳＯＣを含み得る。いくつかの実施形態では、ＲＦトランシーバ回路要素１２２、ベースバンド処理回路要素１２４、およびアプリケーション処理回路要素１２６は、別個のチップまたはチップのセット上にあり得る。代替実施形態では、ベースバンド処理回路要素１２４およびアプリケーション処理回路要素１２６の一部または全部は１つのチップまたはチップのセットになるように組み合わせられ得、ＲＦトランシーバ回路要素１２２は別個のチップまたはチップのセット上にあり得る。さらに代替の実施形態では、ＲＦトランシーバ回路要素１２２およびベースバンド処理回路要素１２４の一部または全部は同じチップまたはチップのセット上にあり得、アプリケーション処理回路要素１２６は別個のチップまたはチップのセット上にあり得る。また他の代替実施形態では、ＲＦトランシーバ回路要素１２２、ベースバンド処理回路要素１２４、およびアプリケーション処理回路要素１２６の一部または全部は、同じチップまたはチップのセット中で組み合わせられ得る。いくつかの実施形態では、ＲＦトランシーバ回路要素１２２は、インターフェース１１４の一部であり得る。ＲＦトランシーバ回路要素１２２は、処理回路要素１２０のためのＲＦ信号を調節し得る。
【００８１】
いくつかの実施形態では、ＷＤによって実施されるものとして本明細書で説明される機能性の一部または全部は、デバイス可読媒体１３０に記憶された命令を実行する処理回路要素１２０によって提供され得、デバイス可読媒体１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１２０によって提供され得る。それらの特定の実施形態のいずれでも、デバイス可読記憶媒体に記憶された命令を実行するか否かにかかわらず、処理回路要素１２０は、説明される機能性を実施するように設定され得る。そのような機能性によって提供される利益は、処理回路要素１２０単独に、またはＷＤ１１０の他の構成要素に限定されないが、全体としてＷＤ１１０によって、ならびに／または概してエンドユーザおよび無線ネットワークによって、享受される。
【００８２】
処理回路要素１２０は、ＷＤによって実施されるものとして本明細書で説明される、任意の決定動作、計算動作、または同様の動作（たとえば、いくつかの取得動作）を実施するように設定され得る。処理回路要素１２０によって実施されるようなこれらの動作は、処理回路要素１２０によって取得された情報を、たとえば、取得された情報を他の情報に変換することによって、処理すること、取得された情報または変換された情報をＷＤ１１０によって記憶された情報と比較すること、ならびに／あるいは、取得された情報または変換された情報に基づいて、および前記処理が決定を行ったことの結果として、１つまたは複数の動作を実施することを含み得る。
【００８３】
デバイス可読媒体１３０は、コンピュータプログラム、ソフトウェア、論理、ルール、コード、テーブルなどのうちの１つまたは複数を含むアプリケーション、および／または処理回路要素１２０によって実行されることが可能な他の命令を記憶するように動作可能であり得る。デバイス可読媒体１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１２０およびデバイス可読媒体１３０は、統合されていると見なされ得る。
【００８４】
ユーザインターフェース機器１３２は、人間のユーザがＷＤ１１０と対話することを可能にする構成要素を提供し得る。そのような対話は、視覚、聴覚、触覚など、多くの形式のものであり得る。ユーザインターフェース機器１３２は、ユーザへの出力を作り出すように、およびユーザがＷＤ１１０への入力を提供することを可能にするように動作可能であり得る。対話のタイプは、ＷＤ１１０にインストールされるユーザインターフェース機器１３２のタイプに応じて変化し得る。たとえば、ＷＤ１１０がスマートフォンである場合、対話はタッチスクリーンを介したものであり得、ＷＤ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１３２は、入力インターフェース、デバイスおよび回路、ならびに、出力インターフェース、デバイスおよび回路を含み得る。ユーザインターフェース機器１３２は、ＷＤ１１０への情報の入力を可能にするように設定され、処理回路要素１２０が入力情報を処理することを可能にするために、処理回路要素１２０に接続される。ユーザインターフェース機器１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１３２はまた、ＷＤ１１０からの情報の出力を可能にするように、および処理回路要素１２０がＷＤ１１０からの情報を出力することを可能にするように設定される。ユーザインターフェース機器１３２は、たとえば、スピーカー、ディスプレイ、振動回路要素、ＵＳＢポート、ヘッドフォンインターフェース、または他の出力回路要素を含み得る。ユーザインターフェース機器１３２の１つまたは複数の入力および出力インターフェース、デバイス、および回路を使用して、ＷＤ１１０は、エンドユーザおよび／または無線ネットワークと通信し、エンドユーザおよび／または無線ネットワークが本明細書で説明される機能性から利益を得ることを可能にし得る。
【００８５】
補助機器１３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを含み得る。補助機器１３４の構成要素の包含およびタイプは、実施形態および／またはシナリオに応じて変化し得る。
【００８６】
電源１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１１０は、電源１３６から、本明細書で説明または示される任意の機能性を行うために電源１３６からの電力を必要とする、ＷＤ１１０の様々な部分に電力を配信するための、電力回路要素１３７をさらに含み得る。電力回路要素１３７は、いくつかの実施形態では、電力管理回路要素を含み得る。電力回路要素１３７は、追加または代替として、外部電源から電力を受信するように動作可能であり得、その場合、ＷＤ１１０は、電力ケーブルなどの入力回路要素またはインターフェースを介して（電気コンセントなどの）外部電源に接続可能であり得る。電力回路要素１３７はまた、いくつかの実施形態では、外部電源から電源１３６に電力を配信するように動作可能であり得る。これは、たとえば、電源１３６の充電のためのものであり得る。電力回路要素１３７は、電源１３６からの電力に対して、その電力を、電力が供給されるＷＤ１１０のそれぞれの構成要素に好適であるようにするために、任意のフォーマッティング、変換、または他の修正を実施し得る。
【００８７】
図５は、本明細書で説明される様々な態様による、ＵＥ２００の一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ２００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図５に示されているＵＥ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図５はＵＥであるが、本明細書で説明される構成要素は、ＷＤに等しく適用可能であり、その逆も同様である。
【００８８】
図５では、ＵＥ２００は、入出力インターフェース２０５、無線周波数（ＲＦ）インターフェース２０９、ネットワーク接続インターフェース２１１、ランダムアクセスメモリ（ＲＡＭ）２１７と読取り専用メモリ（ＲＯＭ）２１９と記憶媒体２２１などとを含むメモリ２１５、通信サブシステム２３１、電源２１３、および／または他の構成要素、あるいはそれらの任意の組合せに動作可能に結合された、処理回路要素２０１を含む。記憶媒体２２１は、オペレーティングシステム２２３と、アプリケーションプログラム２２５と、データ２２７とを含む。他の実施形態では、記憶媒体２２１は、他の同様のタイプの情報を含み得る。いくつかのＵＥは、図５に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【００８９】
図５では、処理回路要素２０１は、コンピュータ命令およびデータを処理するように設定され得る。処理回路要素２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素２０１は、２つの中央処理ユニット（ＣＰＵ）を含み得る。データは、コンピュータによる使用に好適な形式での情報であり得る。
【００９０】
図示された実施形態では、入出力インターフェース２０５は、入力デバイス、出力デバイス、または入出力デバイスに通信インターフェースを提供するように設定され得る。ＵＥ２００は、入出力インターフェース２０５を介して出力デバイスを使用するように設定され得る。出力デバイスは、入力デバイスと同じタイプのインターフェースポートを使用し得る。たとえば、ＵＥ２００への入力およびＵＥ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ２００は、ユーザがＵＥ２００に情報をキャプチャすることを可能にするために、入出力インターフェース２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００９１】
図５では、ＲＦインターフェース２０９は、送信機、受信機、およびアンテナなど、ＲＦ構成要素に通信インターフェースを提供するように設定され得る。ネットワーク接続インターフェース２１１は、ネットワーク２４３ａに通信インターフェースを提供するように設定され得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ａは、Ｗｉ−Ｆｉネットワークを含み得る。ネットワーク接続インターフェース２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース２１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【００９２】
ＲＡＭ２１７は、オペレーティングシステム、アプリケーションプログラム、およびデバイスドライバなど、ソフトウェアプログラムの実行中に、データまたはコンピュータ命令の記憶またはキャッシングを提供するために、バス２０２を介して処理回路要素２０１にインターフェースするように設定され得る。ＲＯＭ２１９は、処理回路要素２０１にコンピュータ命令またはデータを提供するように設定され得る。たとえば、ＲＯＭ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体２２１は、オペレーティングシステム２２３と、ウェブブラウザアプリケーション、ウィジェットまたはガジェットエンジン、あるいは別のアプリケーションなどのアプリケーションプログラム２２５と、データファイル２２７とを含むように設定され得る。記憶媒体２２１は、ＵＥ２００による使用のために、多様な様々なオペレーティングシステムまたはオペレーティングシステムの組合せのうちのいずれかを記憶し得る。
【００９３】
記憶媒体２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体２２１は、ＵＥ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体２２１中に有形に具現され得、記憶媒体２２１はデバイス可読媒体を含み得る。
【００９４】
図５では、処理回路要素２０１は、通信サブシステム２３１を使用してネットワーク２４３ｂと通信するように設定され得る。ネットワーク２４３ａとネットワーク２４３ｂとは、同じ１つまたは複数のネットワークまたは異なる１つまたは複数のネットワークであり得る。通信サブシステム２３１は、ネットワーク２４３ｂと通信するために使用される１つまたは複数のトランシーバを含むように設定され得る。たとえば、通信サブシステム２３１は、ＩＥＥＥ８０２．４、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機２３３および／または受信機２３５を含み得る。さらに、各トランシーバの送信機２３３および受信機２３５は、回路構成要素、ソフトウェアまたはファームウェアを共有し得るか、または、代替的に、別個に実装され得る。
【００９５】
示されている実施形態では、通信サブシステム２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム２３１は、セルラー通信と、Ｗｉ−Ｆｉ通信と、Ｂｌｕｅｔｏｏｔｈ通信と、ＧＰＳ通信とを含み得る。ネットワーク２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ｂは、セルラーネットワーク、Ｗｉ−Ｆｉネットワーク、および／またはニアフィールドネットワークであり得る。電源２１３は、ＵＥ２００の構成要素に交流（ＡＣ）または直流（ＤＣ）電力を提供するように設定され得る。
【００９６】
本明細書で説明される特徴、利益および／または機能は、ＵＥ２００の構成要素のうちの１つにおいて実装されるか、またはＵＥ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム２３１は、本明細書で説明される構成要素のうちのいずれかを含むように設定され得る。さらに、処理回路要素２０１は、バス２０２上でそのような構成要素のうちのいずれかと通信するように設定され得る。別の例では、そのような構成要素のうちのいずれかは、処理回路要素２０１によって実行されたとき、本明細書で説明される対応する機能を実施する、メモリに記憶されたプログラム命令によって表され得る。別の例では、そのような構成要素のうちのいずれかの機能性は、処理回路要素２０１と通信サブシステム２３１との間で分割され得る。別の例では、そのような構成要素のうちのいずれかの非計算集約的機能が、ソフトウェアまたはファームウェアで実装され得、計算集約的機能がハードウェアで実装され得る。
【００９７】
図６は、いくつかの実施形態によって実装される機能が仮想化され得る、仮想化環境３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００９８】
いくつかの実施形態では、本明細書で説明される機能の一部または全部は、ハードウェアノード３３０のうちの１つまたは複数によってホストされる１つまたは複数の仮想環境３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００９９】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション３２０によって実装され得る。アプリケーション３２０は、処理回路要素３６０とメモリ３９０−１とを含むハードウェア３３０を提供する、仮想化環境３００において稼働される。メモリ３９０−１は、処理回路要素３６０によって実行可能な命令３９５を含んでおり、それにより、アプリケーション３２０は、本明細書で開示される特徴、利益、および／または機能のうちの１つまたは複数を提供するように動作可能である。
【０１００】
仮想化環境３００は、１つまたは複数のプロセッサのセットまたは処理回路要素３６０を含む、汎用または専用のネットワークハードウェアデバイス３３０を含み、１つまたは複数のプロセッサのセットまたは処理回路要素３６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ３９０−１を含み得、メモリ３９０−１は、処理回路要素３６０によって実行される命令３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）３７０を含み得、ネットワークインターフェースコントローラ（ＮＩＣ）３７０は物理ネットワークインターフェース３８０を含む。各ハードウェアデバイスは、処理回路要素３６０によって実行可能なソフトウェア３９５および／または命令を記憶した、非一時的、永続的、機械可読記憶媒体３９０−２をも含み得る。ソフトウェア３９５は、１つまたは複数の（ハイパーバイザとも呼ばれる）仮想化レイヤ３５０をインスタンス化するためのソフトウェア、仮想マシン３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１０１】
仮想マシン３４０は、仮想処理、仮想メモリ、仮想ネットワーキングまたはインターフェース、および仮想記憶域を含み、対応する仮想化レイヤ３５０またはハイパーバイザによって稼働され得る。仮想アプライアンス３２０の事例の異なる実施形態が、仮想マシン３４０のうちの１つまたは複数上で実装され得、実装は異なるやり方で行われ得る。
【０１０２】
動作中に、処理回路要素３６０は、ソフトウェア３９５を実行してハイパーバイザまたは仮想化レイヤ３５０をインスタンス化し、ハイパーバイザまたは仮想化レイヤ３５０は、時々、仮想マシンモニタ（ＶＭＭ）と呼ばれることがある。仮想化レイヤ３５０は、仮想マシン３４０に、ネットワーキングハードウェアのように見える仮想動作プラットフォームを提示し得る。
【０１０３】
図６に示されているように、ハードウェア３３０は、一般的なまたは特定の構成要素をもつスタンドアロンネットワークノードであり得る。ハードウェア３３０は、アンテナ３２２５を含み得、仮想化を介していくつかの機能を実装し得る。代替的に、ハードウェア３３０は、多くのハードウェアノードが協働し、特に、アプリケーション３２０のライフサイクル管理を監督する、管理およびオーケストレーション（ＭＡＮＯ）３１００を介して管理される、（たとえば、データセンターまたは顧客構内機器（ＣＰＥ）の場合のような）ハードウェアのより大きいクラスタの一部であり得る。
【０１０４】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１０５】
ＮＦＶのコンテキストでは、仮想マシン３４０は、プログラムを、それらのプログラムが、物理的な仮想化されていないマシン上で実行しているかのように稼働する、物理マシンのソフトウェア実装形態であり得る。仮想マシン３４０の各々と、その仮想マシンに専用のハードウェアであろうと、および／またはその仮想マシンによって仮想マシン３４０のうちの他の仮想マシンと共有されるハードウェアであろうと、その仮想マシンを実行するハードウェア３３０のその一部とは、別個の仮想ネットワークエレメント（ＶＮＥ）を形成する。
【０１０６】
さらにＮＦＶのコンテキストでは、仮想ネットワーク機能（ＶＮＦ）は、ハードウェアネットワーキングインフラストラクチャ３３０の上の１つまたは複数の仮想マシン３４０において稼働する固有のネットワーク機能をハンドリングすることを担当し、図６中のアプリケーション３２０に対応する。
【０１０７】
いくつかの実施形態では、各々、１つまたは複数の送信機３２２０と１つまたは複数の受信機３２１０とを含む、１つまたは複数の無線ユニット３２００は、１つまたは複数のアンテナ３２２５に結合され得る。無線ユニット３２００は、１つまたは複数の適切なネットワークインターフェースを介してハードウェアノード３３０と直接通信し得、無線アクセスノードまたは基地局など、無線能力をもつ仮想ノードを提供するために仮想構成要素と組み合わせて使用され得る。
【０１０８】
いくつかの実施形態では、何らかのシグナリングが、ハードウェアノード３３０と無線ユニット３２００との間の通信のために代替的に使用され得る制御システム３２３０を使用して、実現され得る。
【０１０９】
図７は、いくつかの実施形態による、中間ネットワークを介してホストコンピュータに接続された通信ネットワークを示す。図７を参照すると、一実施形態によれば、通信システムが、無線アクセスネットワークなどのアクセスネットワーク４１１とコアネットワーク４１４とを含む、３ＧＰＰタイプセルラーネットワークなどの通信ネットワーク４１０を含む。アクセスネットワーク４１１は、ＮＢ、ｅＮＢ、ｇＮＢまたは他のタイプの無線アクセスポイントなど、複数の基地局４１２ａ、４１２ｂ、４１２ｃを含み、各々が、対応するカバレッジエリア４１３ａ、４１３ｂ、４１３ｃを規定する。各基地局４１２ａ、４１２ｂ、４１２ｃは、有線接続または無線接続４１５上でコアネットワーク４１４に接続可能である。カバレッジエリア４１３ｃ中に位置する第１のＵＥ４９１が、対応する基地局４１２ｃに無線で接続するか、または対応する基地局４１２ｃによってページングされるように設定される。カバレッジエリア４１３ａ中の第２のＵＥ４９２が、対応する基地局４１２ａに無線で接続可能である。この例では複数のＵＥ４９１、４９２が示されているが、開示される実施形態は、唯一のＵＥがカバレッジエリア中にある状況、または唯一のＵＥが対応する基地局４１２に接続している状況に等しく適用可能である。
【０１１０】
通信ネットワーク４１０は、それ自体、ホストコンピュータ４３０に接続され、ホストコンピュータ４３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ４３０は、サービスプロバイダの所有または制御下にあり得、あるいはサービスプロバイダによってまたはサービスプロバイダに代わって動作され得る。通信ネットワーク４１０とホストコンピュータ４３０との間の接続４２１および４２２は、コアネットワーク４１４からホストコンピュータ４３０に直接延び得るか、または随意の中間ネットワーク４２０を介して進み得る。中間ネットワーク４２０は、パブリックネットワーク、プライベートネットワーク、またはホストされたネットワークのうちの１つ、またはそれらのうちの２つ以上の組合せであり得、中間ネットワーク４２０は、もしあれば、バックボーンネットワークまたはインターネットであり得、特に、中間ネットワーク４２０は、２つまたはそれ以上のサブネットワーク（図示せず）を含み得る。
【０１１１】
図７の通信システムは全体として、接続されたＵＥ４９１、４９２とホストコンピュータ４３０との間のコネクティビティを可能にする。コネクティビティは、オーバーザトップ（ＯＴＴ）接続４５０として説明され得る。ホストコンピュータ４３０および接続されたＵＥ４９１、４９２は、アクセスネットワーク４１１、コアネットワーク４１４、任意の中間ネットワーク４２０、および考えられるさらなるインフラストラクチャ（図示せず）を媒介として使用して、ＯＴＴ接続４５０を介して、データおよび／またはシグナリングを通信するように設定される。ＯＴＴ接続４５０は、ＯＴＴ接続４５０が通過する、参加する通信デバイスが、アップリンクおよびダウンリンク通信のルーティングに気づいていないという意味で、透過的であり得る。たとえば、基地局４１２は、接続されたＵＥ４９１にフォワーディング（たとえば、ハンドオーバ）されるべき、ホストコンピュータ４３０から発生したデータを伴う着信ダウンリンク通信の過去のルーティングについて、通知されないことがあるかまたは通知される必要がない。同様に、基地局４１２は、ＵＥ４９１から発生してホストコンピュータ４３０に向かう発信アップリンク通信の将来ルーティングに気づいている必要がない。
【０１１２】
図８は、いくつかの実施形態による、部分的無線接続上で基地局を介してユーザ機器と通信するホストコンピュータを示す図である。次に、一実施形態による、前の段落において説明されたＵＥ、基地局およびホストコンピュータの例示的な実装形態が、図８を参照しながら説明される。通信システム５００では、ホストコンピュータ５１０が、通信システム５００の異なる通信デバイスのインターフェースとの有線接続または無線接続をセットアップおよび維持するように設定された通信インターフェース５１６を含む、ハードウェア５１５を含む。ホストコンピュータ５１０は、記憶能力および／または処理能力を有し得る、処理回路要素５１８をさらに含む。特に、処理回路要素５１８は、１つまたは複数のプログラマブルプロセッサ、特定用途向け集積回路、フィールドプログラマブルゲートアレイ、または、命令を実行するように適応されたこれらの組合せ（図示せず）を含み得る。ホストコンピュータ５１０は、ホストコンピュータ５１０に記憶されるかまたはホストコンピュータ５１０によってアクセス可能であり、処理回路要素５１８によって実行可能である、ソフトウェア５１１をさらに含む。ソフトウェア５１１は、ホストアプリケーション５１２を含む。ホストアプリケーション５１２は、ＵＥ５３０およびホストコンピュータ５１０において終端するＯＴＴ接続５５０を介して接続するＵＥ５３０など、リモートユーザにサービスを提供するように動作可能であり得る。リモートユーザにサービスを提供する際に、ホストアプリケーション５１２は、ＯＴＴ接続５５０を使用して送信されるユーザデータを提供し得る。
【０１１３】
通信システム５００は、通信システム中に提供される基地局５２０をさらに含み、基地局５２０は、基地局５２０がホストコンピュータ５１０およびＵＥ５３０と通信することを可能にするハードウェア５２５を含む。ハードウェア５２５は、通信システム５００の異なる通信デバイスのインターフェースとの有線接続または無線接続をセットアップおよび維持するための通信インターフェース５２６、ならびに基地局５２０によってサーブされるカバレッジエリア（図８に図示せず）中に位置するＵＥ５３０との少なくとも無線接続５７０をセットアップおよび維持するための無線インターフェース５２７を含み得る。通信インターフェース５２６は、ホストコンピュータ５１０への接続５６０を容易にするように設定され得る。接続５６０は直接であり得るか、あるいは、接続５６０は、通信システムのコアネットワーク（図８に図示せず）を、および／または通信システムの外部の１つまたは複数の中間ネットワークを通過し得る。図示の実施形態では、基地局５２０のハードウェア５２５は、処理回路要素５２８をさらに含み、処理回路要素５２８は、１つまたは複数のプログラマブルプロセッサ、特定用途向け集積回路、フィールドプログラマブルゲートアレイ、または、命令を実行するように適応されたこれらの組合せ（図示せず）を含み得る。基地局５２０は、内部的に記憶されるかまたは外部接続を介してアクセス可能なソフトウェア５２１をさらに有する。
【０１１４】
通信システム５００は、すでに言及されたＵＥ５３０をさらに含む。ＵＥ５３０のハードウェア５３５は、ＵＥ５３０が現在位置するカバレッジエリアをサーブする基地局との無線接続５７０をセットアップおよび維持するように設定された、無線インターフェース５３７を含み得る。ＵＥ５３０のハードウェア５３５は、処理回路要素５３８をさらに含み、処理回路要素５３８は、１つまたは複数のプログラマブルプロセッサ、特定用途向け集積回路、フィールドプログラマブルゲートアレイ、または、命令を実行するように適応されたこれらの組合せ（図示せず）を含み得る。ＵＥ５３０は、ＵＥ５３０に記憶されるかまたはＵＥ５３０によってアクセス可能であり、処理回路要素５３８によって実行可能である、ソフトウェア５３１をさらに含む。ソフトウェア５３１は、クライアントアプリケーション５３２を含む。クライアントアプリケーション５３２は、ホストコンピュータ５１０のサポートのもとに、ＵＥ５３０を介して人間のまたは人間でないユーザにサービスを提供するように動作可能であり得る。ホストコンピュータ５１０では、実行しているホストアプリケーション５１２は、ＵＥ５３０およびホストコンピュータ５１０において終端するＯＴＴ接続５５０を介して、実行しているクライアントアプリケーション５３２と通信し得る。ユーザにサービスを提供する際に、クライアントアプリケーション５３２は、ホストアプリケーション５１２から要求データを受信し、要求データに応答してユーザデータを提供し得る。ＯＴＴ接続５５０は、要求データとユーザデータの両方を転送し得る。クライアントアプリケーション５３２は、クライアントアプリケーション５３２が提供するユーザデータを生成するためにユーザと対話し得る。
【０１１５】
図８に示されているホストコンピュータ５１０、基地局５２０およびＵＥ５３０は、それぞれ、図７のホストコンピュータ４３０、基地局４１２ａ、４１２ｂ、４１２ｃのうちの１つ、およびＵＥ４９１、４９２のうちの１つと同様または同等であり得ることに留意されたい。つまり、これらのエンティティの内部の働きは、図８に示されているようなものであり得、別個に、周囲のネットワークトポロジーは、図７のものであり得る。
【０１１６】
図８では、ＯＴＴ接続５５０は、仲介デバイスとこれらのデバイスを介したメッセージの正確なルーティングとへの明示的言及なしに、基地局５２０を介したホストコンピュータ５１０とＵＥ５３０との間の通信を示すために抽象的に描かれている。ネットワークインフラストラクチャが、ルーティングを決定し得、ネットワークインフラストラクチャは、ＵＥ５３０からまたはホストコンピュータ５１０を動作させるサービスプロバイダから、またはその両方からルーティングを隠すように設定され得る。ＯＴＴ接続５５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１１７】
ＵＥ５３０と基地局５２０との間の無線接続５７０は、本開示全体にわたって説明される実施形態の教示に従う。様々な実施形態のうちの１つまたは複数は、無線接続５７０が最後のセグメントを形成するＯＴＴ接続５５０を使用して、ＵＥ５３０に提供されるＯＴＴサービスの性能を改善する。より正確には、これらの実施形態の教示は、自己最適化ネットワーク機能性を構築する能力を改善するためにＵＥのビーム分類挙動を改善し得る。
【０１１８】
１つまたは複数の実施形態が改善する、データレート、レイテンシおよび他のファクタを監視する目的での、測定プロシージャが提供され得る。測定結果の変動に応答して、ホストコンピュータ５１０とＵＥ５３０との間のＯＴＴ接続５５０を再設定するための随意のネットワーク機能性がさらにあり得る。測定プロシージャおよび／またはＯＴＴ接続５５０を再設定するためのネットワーク機能性は、ホストコンピュータ５１０のソフトウェア５１１およびハードウェア５１５でまたはＵＥ５３０のソフトウェア５３１およびハードウェア５３５で、またはその両方で実装され得る。実施形態では、ＯＴＴ接続５５０が通過する通信デバイスにおいてまたはそれに関連して、センサー（図示せず）が展開され得、センサーは、上記で例示された監視された量の値を供給すること、またはソフトウェア５１１、５３１が監視された量を算出または推定し得る他の物理量の値を供給することによって、測定プロシージャに参加し得る。ＯＴＴ接続５５０の再設定は、メッセージフォーマット、再送信セッティング、好ましいルーティングなどを含み得、再設定は、基地局５２０に影響を及ぼす必要がなく、再設定は、基地局５２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ５１０の測定を容易にするプロプライエタリＵＥシグナリングを伴い得る。測定は、ソフトウェア５１１および５３１が、ソフトウェア５１１および５３１が伝搬時間、エラーなどを監視する間にＯＴＴ接続５５０を使用して、メッセージ、特に空のまたは「ダミー」メッセージが送信されることを引き起こすことにおいて、実装され得る。
【０１１９】
図９は、いくつかの実施形態による、通信システムにおいて実装される方法を示すフローチャートである。通信システムは、図５および図６を参照しながら説明されたものであり得る、ホストコンピュータ、基地局およびＵＥを含む。本開示の簡単のために、図９への図面参照のみがこのセクションに含まれる。ステップ６１０において、ホストコンピュータはユーザデータを提供する。ステップ６１０の（随意であり得る）サブステップ６１１において、ホストコンピュータは、ホストアプリケーションを実行することによって、ユーザデータを提供する。ステップ６２０において、ホストコンピュータは、ＵＥにユーザデータを搬送する送信を始動する。（随意であり得る）ステップ６３０において、基地局は、本開示全体にわたって説明される実施形態の教示に従って、ホストコンピュータが始動した送信において搬送されたユーザデータをＵＥに送信する。（また、随意であり得る）ステップ６４０において、ＵＥは、ホストコンピュータによって実行されるホストアプリケーションに関連付けられたクライアントアプリケーションを実行する。
【０１２０】
図１０は、いくつかの実施形態による、通信システムにおいて実装される方法を示すフローチャートである。通信システムは、図５および図６を参照しながら説明されたものであり得る、ホストコンピュータ、基地局およびＵＥを含む。本開示の簡単のために、図１０への図面参照のみがこのセクションに含まれる。方法のステップ７１０において、ホストコンピュータはユーザデータを提供する。随意のサブステップ（図示せず）において、ホストコンピュータは、ホストアプリケーションを実行することによって、ユーザデータを提供する。ステップ７２０において、ホストコンピュータは、ＵＥにユーザデータを搬送する送信を始動する。送信は、本開示全体にわたって説明される実施形態の教示に従って、基地局を介して進み得る。（随意であり得る）ステップ７３０において、ＵＥは、送信において搬送されたユーザデータを受信する。
【０１２１】
図１１は、いくつかの実施形態による、通信システムにおいて実装される方法を示すフローチャートである。通信システムは、図５および図６を参照しながら説明されたものであり得る、ホストコンピュータ、基地局およびＵＥを含む。本開示の簡単のために、図１１への図面参照のみがこのセクションに含まれる。（随意であり得る）ステップ８１０において、ＵＥは、ホストコンピュータによって提供された入力データを受信する。追加または代替として、ステップ８２０において、ＵＥはユーザデータを提供する。ステップ８２０の（随意であり得る）サブステップ８２１において、ＵＥは、クライアントアプリケーションを実行することによって、ユーザデータを提供する。ステップ８１０の（随意であり得る）サブステップ８１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ８３０において、ホストコンピュータへのユーザデータの送信を始動する。方法のステップ８４０において、ホストコンピュータは、本開示全体にわたって説明される実施形態の教示に従って、ＵＥから送信されたユーザデータを受信する。
【０１２２】
図１２は、いくつかの実施形態による、通信システムにおいて実装される方法を示すフローチャートである。通信システムは、図５および図６を参照しながら説明されたものであり得る、ホストコンピュータ、基地局およびＵＥを含む。本開示の簡単のために、図１２への図面参照のみがこのセクションに含まれる。（随意であり得る）ステップ９１０において、本開示全体にわたって説明される実施形態の教示に従って、基地局は、ＵＥからユーザデータを受信する。（随意であり得る）ステップ９２０において、基地局は、ホストコンピュータへの、受信されたユーザデータの送信を始動する。（随意であり得る）ステップ９３０において、ホストコンピュータは、基地局によって始動された送信において搬送されたユーザデータを受信する。
【０１２３】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを含み得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１２４】
図１３は、いくつかの実施形態による、無線ネットワークにおける方法を図示する。方法は、ステップ１００２において始まり、イベントトリガ型報告が設定されたのか、周期的報告が設定されたのか、および／またはビーム報告が設定されたのかを決定する。方法は、ステップ１００４に続き、決定に基づいて測定リポートのためのネイバーセル測定結果を分類する。方法は、ステップ１００６に続き、決定および分類に基づいて測定リポートをネットワークノードに報告する。
【０１２５】
図１４は、いくつかの実施形態による、無線ネットワーク（たとえば、図２に示されている無線ネットワーク）における装置１１００の概略ブロック図を示す。本装置は、無線デバイスまたはネットワークノード（たとえば、図２に示されている無線デバイス１１０またはネットワークノード１６０）において実装され得る。装置１１００は、図１３に関して説明された例示的な方法、および、場合によっては、本明細書で開示される任意の他のプロセスまたは方法を行うように動作可能である。また、図１３の方法は、必ずしも装置１１００のみによって行われるとは限らないことを理解されたい。その方法の少なくともいくつかの動作は、１つまたは複数の他のエンティティによって実施され得る。
【０１２６】
仮想装置１１００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを含み得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、決定ユニット１１１０、分類ユニット１１２０、および報告ユニット１１３０、装置１１００の任意の他の好適なユニットに、図１４において説明される機能性など、本開示の１つまたは複数の実施形態による、対応する機能を実施させるために使用され得る。
【０１２７】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１２８】
図１５は、いくつかの実施形態による、測定報告のための、無線デバイス１１０による方法を図示する。方法は、ステップ１２１０において始まり、無線デバイス１１０が、少なくとも１つの測定量に基づいて測定リポートのための複数の測定を分類する。
【０１２９】
特定の実施形態では、測定量は、ネットワークによって設定されたリポート量である。別の実施形態では、測定量は、ネットワークによって設定された複数のトリガ量のセットのうちのトリガ量である。
【０１３０】
特定の実施形態では、複数の測定はビームレベル測定を含む。追加または代替として、複数の測定はセルレベル測定を含む。
【０１３１】
特定の実施形態では、複数の測定は無線デバイスのサービングセルについてのものである。追加または代替として、複数の測定は無線デバイスの隣接セルについてのものである。
【０１３２】
ステップ１２２０において、無線デバイス１１０は、少なくとも１つの測定量に基づく複数の測定の分類に基づいて複数の測定から選択された測定情報を含む測定リポートをネットワークノード１６０に報告する。
【０１３３】
特定の実施形態では、測定情報は複数の測定のうちの少なくとも１つを含む。追加または代替として、測定情報はビームインデックスを含み得る。
【０１３４】
特定の実施形態では、測定リポートは１次セル（ＰＣｅｌｌ）および２次セル（ＳＣｅｌｌ）のビームレベル情報を含む。
【０１３５】
特定の実施形態では、無線デバイス１１０は、測定報告基準を満たすこと（ｆｕｌｆｉｌｍｅｎｔ）を検出し、測定報告基準を満たすことを検出したことに応答して、測定リポートのための複数の測定を分類する。
【０１３６】
特定の実施形態では、無線デバイス１１０は周期的報告のために設定される。無線デバイス１１０は、ネットワークノードから少なくとも１つの測定量を示す情報を受信し得る。
【０１３７】
たとえば、特定の実施形態では、少なくとも１つの測定量は、ビームインデックスのみがビームレベル報告の一部として報告されることになることを示し、無線デバイス１１０はＲＳＲＰに基づいて複数の測定を分類する。
【０１３８】
別の例示的な実施形態では、少なくとも１つの測定量はＲＳＲＰを示し、無線デバイス１１０はＲＳＲＰに基づいて複数の測定を分類する。
【０１３９】
また別の例示的な実施形態では、少なくとも１つの測定量はＲＳＲＱを示し、無線デバイス１１０はＲＳＲＱに基づいて複数の測定を分類する。
【０１４０】
さらに別の例示的な実施形態では、少なくとも１つの測定量はＳＩＮＲを示し、無線デバイス１１０はＳＩＮＲに基づいて複数の測定を分類する。
【０１４１】
また別の例示的な実施形態では、少なくとも１つの測定量は、ＲＳＲＰと、ＳＩＮＲおよびＲＳＲＱのうちの少なくとも１つとを示し、無線デバイス１１０はＲＳＲＰに基づいて複数の測定を分類する。
【０１４２】
特定の実施形態では、無線デバイスはイベントトリガ型報告のために設定され、少なくとも１つの測定量はトリガ量を含む。
【０１４３】
特定の実施形態では、複数の測定は無線デバイスの隣接セルについての１つまたは複数の測定を含み、無線デバイス１１０は、報告されることになるセルの最大数を超えない少なくとも１つの最良の隣接セルを識別するために、隣接セルについての１つまたは複数の測定を分類する。特定の実施形態では、トリガ量に関連する測定タイプの複数の測定のうちの最良の測定が、測定リポート中で最初に報告され得る。
【０１４４】
図１６は、無線ネットワーク（たとえば、図２に示されている無線ネットワーク）における装置１３００の概略ブロック図を示す。本装置は、無線デバイスまたはネットワークノード（たとえば、図２に示されている無線デバイス１１０またはネットワークノード１６０）において実装され得る。装置１３００は、図１５に関して説明された例示的な方法、および、場合によっては、本明細書で開示される任意の他のプロセスまたは方法を行うように動作可能である。また、図１５の方法は、必ずしも装置１３００のみによって行われるとは限らないことを理解されたい。その方法の少なくともいくつかの動作は、１つまたは複数の他のエンティティによって実施され得る。
【０１４５】
仮想装置１３００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを含み得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、分類ユニット１３１０、報告ユニット１３２０、および装置１３００の任意の他の好適なユニットに、図１５において説明される機能性など、本開示の１つまたは複数の実施形態による、対応する機能を実施させるために使用され得る。
【０１４６】
たとえば、分類ユニット１３１０は、装置１３００の分類機能を実施し得る。特定の実施形態では、分類ユニット１３１０は、少なくとも１つの測定量に基づいて測定リポートのための複数の測定を分類し得る。
【０１４７】
たとえば、報告ユニット１３２０は、装置１３００の報告機能を実施し得る。特定の実施形態では、報告ユニット１３２０は、少なくとも１つの測定量に基づく複数の測定の分類に基づいて複数の測定から選択された測定情報を含む測定リポートをネットワークノード１６０に報告し得る。
【０１４８】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１４９】
図１７は、いくつかの実施形態による、測定報告のために無線デバイス１１０を設定するための、ネットワークノード１６０による方法を図示する。方法は、ステップ１４１０において始まり、ネットワークノード１６０が、イベントベース測定報告のために無線デバイス１１０を設定する。
【０１５０】
特定の実施形態では、複数の測定はビームレベル測定を含む。追加または代替として、複数の測定はセルレベル測定を含む。
【０１５１】
特定の実施形態では、複数の測定は無線デバイス１１０のサービングセルについてのものである。追加または代替として、特定の実施形態では、複数の測定は無線デバイス１１０の隣接セルについてのものである。
【０１５２】
ステップ１４２０において、ネットワークノード１６０は、無線デバイス１１０から、複数の測定の分類に基づいて複数の測定から選択された測定情報を含む測定リポートを受信する。複数の測定の分類は、イベントの検出に応答したものである。
【０１５３】
特定の実施形態では、測定情報は複数の測定のうちの少なくとも１つを含む。追加または代替として、特定の実施形態では、測定情報はビームインデックスを含む。
【０１５４】
特定の実施形態では、測定リポートはＰＣｅｌｌおよびＳＣｅｌｌのビームレベル情報を含み得る。
【０１５５】
特定の実施形態では、複数の測定は、少なくとも１つの測定量に基づいて測定リポートのために分類される。
【０１５６】
特定の実施形態では、測定量は、ネットワークによって設定されたリポート量である。
【０１５７】
特定の実施形態では、測定量は、ネットワークによって設定された複数のトリガ量のセットのうちのトリガ量である。
【０１５８】
いくつかの特定の実施形態によれば、ネットワークノード１６０は、少なくとも１つの測定量を示す情報を無線デバイスに送信し得る。
【０１５９】
特定の例示的な実施形態では、少なくとも１つの測定量は、ビームインデックスのみがビームレベル報告の一部として報告されることになることを示し、複数の測定はＲＳＲＰに基づいて分類される。
【０１６０】
別の例示的な実施形態では、少なくとも１つの測定量はＲＳＲＰを示し、複数の測定はＲＳＲＰに基づいて分類される。
【０１６１】
さらに別の例示的な実施形態では、少なくとも１つの測定量はＲＳＲＱを示し、複数の測定はＲＳＲＱに基づいて分類される。
【０１６２】
また別の例示的な実施形態では、少なくとも１つの測定量はＳＩＮＲを示し、複数の測定はＳＩＮＲに基づいて分類される。
【０１６３】
また別の例示的な実施形態では、少なくとも１つの測定量は、ＲＳＲＰと、ＳＩＮＲおよびＲＳＲＱのうちの少なくとも１つとを示し、複数の測定はＲＳＲＰに基づいて分類される。
【０１６４】
特定の実施形態では、イベントベース測定報告のために無線デバイス１１０を設定することは、イベントトリガ型報告のために無線デバイス１１０を設定することを含み得、少なくとも１つの測定量はトリガ量を含む。
【０１６５】
特定の実施形態では、トリガ量に関連する測定タイプの複数の測定のうちの最良の測定が、測定リポート中で最初に報告される。
【０１６６】
特定の実施形態では、ネットワークノード１６０は、周期的報告のために無線デバイス１１０を設定し得る。
【０１６７】
特定の実施形態では、複数の測定は無線デバイスの隣接セルについての１つまたは複数の測定を含み、隣接セルについての１つまたは複数の測定は、少なくとも１つの最良の隣接セルを識別するために分類される。少なくとも１つの最良の隣接セルは、報告されることになるセルの最大数を超えない。
【０１６８】
図１８は、無線ネットワーク（たとえば、図２に示されている無線ネットワーク）における装置１５００の概略ブロック図を示す。本装置は、無線デバイスまたはネットワークノード（たとえば、図２に示されている無線デバイス１１０またはネットワークノード１６０）において実装され得る。装置１５００は、図１７に関して説明された例示的な方法、および、場合によっては、本明細書で開示される任意の他のプロセスまたは方法を行うように動作可能である。また、図１７の方法は、必ずしも装置１５００のみによって行われるとは限らないことを理解されたい。その方法の少なくともいくつかの動作は、１つまたは複数の他のエンティティによって実施され得る。
【０１６９】
仮想装置１５００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを含み得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、設定ユニット１５１０、受信ユニット１５２０、および装置１５００の任意の他の好適なユニットに、図１７において説明される機能性など、本開示の１つまたは複数の実施形態による、対応する機能を実施させるために使用され得る。
【０１７０】
たとえば、設定ユニット１５１０は、装置１５００の設定機能を実施し得る。特定の実施形態では、設定ユニット１５１０は、イベントベース測定報告のために無線デバイス１１０を設定し得る。
【０１７１】
たとえば、受信ユニット１５２０は、装置１５００の受信機能を実施し得る。特定の実施形態では、受信ユニット１５２０は、無線デバイス１１０から、イベントの検出に応答した複数の測定の分類に基づいて複数の測定から選択された測定情報を含む測定リポートを受信し得る。
【０１７２】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１７３】
例示的な実施形態
いくつかの例示的な実施形態によれば、測定報告のための、無線デバイスによって実施される方法は、無線デバイスのためにイベントトリガ型報告が設定されたのか、周期的報告が設定されたのか、および／またはビーム報告が設定されたのかを決定することと、決定に基づいて測定リポートのためのネイバーセル測定結果を分類することと、決定および分類に基づいて測定リポートをネットワークノードに報告することとを含む。随意に、方法は、ユーザデータを提供することと、基地局への送信を介してホストコンピュータにユーザデータをフォワーディングすることとをさらに含み得る。
【０１７４】
いくつかの例示的な実施形態によれば、測定報告のための無線デバイスは、上記の例示的な実施形態に記載のステップのいずれかを実施するように設定された処理回路要素と、無線デバイスに電力を供給するように設定された電力供給回路要素とを含む。
【０１７５】
いくつかの例示的な実施形態によれば、測定報告のためのＵＥは、無線信号を送り、受信するように設定されたアンテナと、アンテナおよび処理回路要素に接続され、アンテナと処理回路要素との間で通信される信号を調節するように設定された、無線フロントエンド回路要素であって、処理回路要素が、上記の例示的な実施形態に記載のステップのいずれかを実施するように設定された、無線フロントエンド回路要素と、処理回路要素に接続され、ＵＥへの情報の入力が処理回路要素によって処理されることを可能にするように設定された、入力インターフェースと、処理回路要素に接続され、処理回路要素によって処理されたＵＥからの情報を出力するように設定された、出力インターフェースと、処理回路要素に接続され、ＵＥに電力を供給するように設定された、バッテリーとを含む。
【０１７６】
いくつかの例示的な実施形態によれば、ホストコンピュータを含む通信システムは、ユーザデータを提供するように設定された処理回路要素と、ユーザ機器（ＵＥ）への送信のためにユーザデータをセルラーネットワークにフォワーディングするように設定された通信インターフェースとを含み、ＵＥは、無線インターフェースと処理回路要素とを含み、ＵＥの構成要素は、上記の例示的な実施形態のいずれか１つに記載のステップのいずれかを実施するように設定される。随意に、セルラーネットワークは、ＵＥと通信するように設定された基地局をさらに含む。随意に、ホストコンピュータの処理回路要素が、ホストアプリケーションを実行し、それによりユーザデータを提供するように設定され、ＵＥの処理回路要素が、ホストアプリケーションに関連付けられたクライアントアプリケーションを実行するように設定された、前の２つの実施形態に記載の通信システム。
【０１７７】
いくつかの例示的な実施形態によれば、ホストコンピュータと、基地局と、ユーザ機器（ＵＥ）とを含む通信システムにおいて実装される方法は、ホストコンピュータにおいて、ユーザデータを提供することと、ホストコンピュータにおいて、基地局を含むセルラーネットワークを介してＵＥにユーザデータを搬送する送信を始動することであって、ＵＥが、上記の例示的な実施形態のいずれか１つに記載のステップのいずれかを実施する、送信を始動することとを含む。随意に、前の実施形態の方法は、ＵＥにおいて、基地局からユーザデータを受信することをさらに含む。
【０１７８】
いくつかの例示的な実施形態によれば、ホストコンピュータを含む通信システムは、ＵＥから基地局への送信から発生したユーザデータを受信するように設定された通信インターフェースを含み、ＵＥは、無線インターフェースと処理回路要素とを含み、ＵＥの処理回路要素は、上記の例示的な実施形態のいずれか１つに記載のステップのいずれかを実施するように設定される。随意に、前の実施形態に記載の通信システムは、ＵＥをさらに含む。随意に、前の実施形態に記載の通信システムは、基地局をさらに含み、基地局は、ＵＥと通信するように設定された無線インターフェースと、ＵＥから基地局への送信によって搬送されたユーザデータをホストコンピュータにフォワーディングするように設定された通信インターフェースとを含む。随意に、ホストコンピュータの処理回路要素が、ホストアプリケーションを実行するように設定され、ＵＥの処理回路要素が、ホストアプリケーションに関連付けられたクライアントアプリケーションを実行し、それによりユーザデータを提供するように設定された、前の実施形態に記載の通信システム。随意に、ホストコンピュータの処理回路要素は、ホストアプリケーションを実行し、それにより要求データを提供するように設定され、ＵＥの処理回路要素は、ホストアプリケーションに関連付けられたクライアントアプリケーションを実行し、それにより要求データに応答してユーザデータを提供するように設定される。
【０１７９】
いくつかの例示的な実施形態によれば、通信システムにおいて実装される方法は、ホストコンピュータと、基地局と、ユーザ機器（ＵＥ）とを含み、方法は、ホストコンピュータにおいて、ＵＥから基地局に送信されたユーザデータを受信することであって、ＵＥが、上記の例示的な実施形態のいずれか１つに記載のステップのいずれかを実施する、ユーザデータを受信することを含む。随意に、方法は、ＵＥにおいて、基地局にユーザデータを提供することをさらに含む。随意に、方法は、ＵＥにおいて、クライアントアプリケーションを実行し、それにより、送信されるべきユーザデータを提供することと、ホストコンピュータにおいて、クライアントアプリケーションに関連付けられたホストアプリケーションを実行することとをさらに含む。随意に、方法は、ＵＥにおいて、クライアントアプリケーションを実行することと、ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することとをさらに含み、送信されるべきユーザデータは、入力データに応答してクライアントアプリケーションによって提供される。
【０１８０】
いくつかの例示的な実施形態によれば、ホストコンピュータと、基地局と、ユーザ機器（ＵＥ）とを含む通信システムにおいて実装される方法は、ホストコンピュータにおいて、基地局から、基地局がＵＥから受信した送信から発生したユーザデータを受信することであって、ＵＥが、上記の例示的な実施形態のいずれか１つに記載のステップのいずれかを実施する、ユーザデータを受信することを含む。随意に、方法は、基地局において、ＵＥからユーザデータを受信することをさらに含む。随意に、方法は、基地局において、ホストコンピュータへの、受信されたユーザデータの送信を始動することをさらに含む。
【０１８１】
略語
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
１ｘ  ＲＴＴ    ＣＤＭＡ２０００  １ｘ無線送信技術
３ＧＰＰ    第３世代パートナーシッププロジェクト
５Ｇ    第５世代
ＡＢＳ    オールモストブランクサブフレーム
ＡＲＱ    自動再送要求
ＡＷＧＮ    加法性白色ガウス雑音
ＢＣＣＨ    ブロードキャスト制御チャネル
ＢＣＨ    ブロードキャストチャネル
ＣＡ    キャリアアグリゲーション
ＣＣ    キャリアコンポーネント
ＣＣＣＨ  ＳＤＵ    共通制御チャネルＳＤＵ
ＣＤＭＡ    符号分割多重化アクセス
ＣＧＩ    セルグローバル識別子
ＣＩＲ    チャネルインパルス応答
ＣＰ    サイクリックプレフィックス
ＣＰＩＣＨ    共通パイロットチャネル
ＣＰＩＣＨ  Ｅｃ／Ｎｏ    帯域中の電力密度で除算されたチップごとのＣＰＩＣＨ受信エネルギー
ＣＱＩ    チャネル品質情報
Ｃ−ＲＮＴＩ    セルＲＮＴＩ
ＣＳＩ    チャネル状態情報
ＤＣＣＨ    専用制御チャネル
ＤＬ    ダウンリンク
ＤＭ    復調
ＤＭＲＳ    復調用参照信号
ＤＲＸ    間欠受信
ＤＴＸ    間欠送信
ＤＴＣＨ    専用トラフィックチャネル
ＤＵＴ    被試験デバイス
Ｅ−ＣＩＤ    拡張セルＩＤ（測位方法）
Ｅ−ＳＭＬＣ    エボルブドサービングモバイルロケーションセンター
ＥＣＧＩ    エボルブドＣＧＩ
ｅＮＢ    Ｅ−ＵＴＲＡＮノードＢ
ｅＰＤＣＣＨ    拡張物理ダウンリンク制御チャネル
Ｅ−ＳＭＬＣ    エボルブドサービングモバイルロケーションセンター
Ｅ−ＵＴＲＡ    エボルブドＵＴＲＡ
Ｅ−ＵＴＲＡＮ    エボルブドＵＴＲＡＮ
ＦＤＤ    周波数分割複信
ＦＦＳ    さらなる検討が必要
ＧＥＲＡＮ    ＧＳＭ  ＥＤＧＥ無線アクセスネットワーク
ｇＮＢ    ＮＲにおける基地局
ＧＮＳＳ    グローバルナビゲーション衛星システム
ＧＳＭ    モバイル通信用グローバルシステム
ＨＡＲＱ    ハイブリッド自動再送要求
ＨＯ    ハンドオーバ
ＨＳＰＡ    高速パケットアクセス
ＨＲＰＤ    高速パケットデータ
ＬＯＳ    見通し線
ＬＰＰ    ＬＴＥ測位プロトコル
ＬＴＥ    Ｌｏｎｇ−Ｔｅｒｍ  Ｅｖｏｌｕｔｉｏｎ
ＭＡＣ    媒体アクセス制御
ＭＢＭＳ    マルチメディアブロードキャストマルチキャストサービス
ＭＢＳＦＮ    マルチメディアブロードキャストマルチキャストサービス単一周波数ネットワーク
ＭＢＳＦＮ  ＡＢＳ    ＭＢＳＦＮオールモストブランクサブフレーム
ＭＤＴ    ドライブテスト最小化
ＭＩＢ    マスタ情報ブロック
ＭＭＥ    モビリティ管理エンティティ
ＭＳＣ    モバイルスイッチングセンター
ＮＰＤＣＣＨ    狭帯域物理ダウンリンク制御チャネル
ＮＲ    新無線
ＯＣＮＧ    ＯＦＤＭＡチャネル雑音生成器
ＯＦＤＭ    直交周波数分割多重
ＯＦＤＭＡ    直交周波数分割多元接続
ＯＳＳ    運用サポートシステム
ＯＴＤＯＡ    観測到達時間差
Ｏ＆Ｍ    運用および保守
ＰＢＣＨ    物理ブロードキャストチャネル
Ｐ−ＣＣＰＣＨ    １次共通制御物理チャネル
ＰＣｅｌｌ    １次セル
ＰＣＦＩＣＨ    物理制御フォーマットインジケータチャネル
ＰＤＣＣＨ    物理ダウンリンク制御チャネル
ＰＤＰ    プロファイル遅延プロファイル
ＰＤＳＣＨ    物理ダウンリンク共有チャネル
ＰＧＷ    パケットゲートウェイ
ＰＨＩＣＨ    物理ハイブリッド自動再送要求指示チャネル
ＰＬＭＮ    パブリックランドモバイルネットワーク
ＰＭＩ    プリコーダ行列インジケータ
ＰＲＡＣＨ    物理ランダムアクセスチャネル
ＰＲＳ    測位参照信号
ＰＳＳ    １次同期信号
ＰＵＣＣＨ    物理アップリンク制御チャネル
ＰＵＳＣＨ    物理アップリンク共有チャネル
ＲＡＣＨ    ランダムアクセスチャネル
ＱＡＭ    直交振幅変調
ＲＡＮ    無線アクセスネットワーク
ＲＡＴ    無線アクセス技術
ＲＬＭ    無線リンク管理
ＲＮＣ    無線ネットワークコントローラ
ＲＮＴＩ    無線ネットワーク一時識別子
ＲＲＣ    無線リソース制御
ＲＲＭ    無線リソース管理
ＲＳ    参照信号
ＲＳＣＰ    受信信号コード電力
ＲＳＲＰ    参照シンボル受信電力、または参照信号受信電力
ＲＳＲＱ    参照信号受信品質、または参照シンボル受信品質
ＲＳＳＩ    受信信号強度インジケータ
ＲＳＴＤ    参照信号時間差
ＳＣＨ    同期チャネル
ＳＣｅｌｌ    ２次セル
ＳＤＵ    サービスデータユニット
ＳＦＮ    システムフレーム番号
ＳＧＷ    サービングゲートウェイ
ＳＩ    システム情報
ＳＩＢ    システム情報ブロック
ＳＮＲ    信号対雑音比
ＳＯＮ    自己最適化ネットワーク
ＳＳ    同期信号
ＳＳＳ    ２次同期信号
ＴＤＤ    時分割複信
ＴＤＯＡ    到達時間差
ＴＯＡ    到達時間
ＴＳＳ    ３次同期信号
ＴＴＩ    送信時間間隔
ＵＥ    ユーザ機器
ＵＬ    アップリンク
ＵＭＴＳ    ユニバーサル移動体通信システム
ＵＳＩＭ    ユニバーサル加入者識別モジュール
ＵＴＤＯＡ    アップリンク到達時間差
ＵＴＲＡ    ユニバーサル地上無線アクセス
ＵＴＲＡＮ    ユニバーサル地上無線アクセスネットワーク
ＷＣＤＭＡ    ワイドＣＤＭＡ
ＷＬＡＮ    ワイドローカルエリアネットワーク
【図１】
2021505070.tif 000024
【図２】
2021505070.tif 000025
【図３】
2021505070.tif 000026
【図４】
2021505070.tif 000027
【図５】
2021505070.tif 000028
【図６】
2021505070.tif 000029
【図７】
2021505070.tif 000030
【図８】
2021505070.tif 000031
【図９】
2021505070.tif 000032
【図１０】
2021505070.tif 000033
【図１１】
2021505070.tif 000034
【図１２】
2021505070.tif 000035
【図１３】
2021505070.tif 000036
【図１４】
2021505070.tif 000037
【図１５】
2021505070.tif 000038
【図１６】
2021505070.tif 000039
【図１７】
2021505070.tif 000040
【図１８】
2021505070.tif 000041
【国際調査報告】
2021505070.tif 000042
2021505070.tif 000043
2021505070.tif 000044
2021505070.tif 000045
2021505070.tif 000046